(57)【要約】【課題】ラベルパス又は波長パスをシグナリングプロトコルにより設定したパス管理情報を用いて伝送する伝送システムにおいて、パスが設定された状態においてエッジノードが障害発生などにより初期化されたときに、初期化直前のパス管理情報を回復可能な、パス管理情報回復方法を提供する。【解決手段】ノード１０２が入口エッジノード１０１から受信したパスメッセージを保持し、入口エッジノード１０１の初期化を検出し、入口エッジノード１０１に対して入口エッジノード１０１からのパスメッセージのうちの直前に送信されたパスメッセージを送信し、ノード１０２がパスメッセージに基づいて生成した一般化されたラベル情報を含む応答メッセージを入口エッジノード１０１に対して送信し、入口エッジノード１０１が応答メッセージに含まれる一般化されたラベル情報を含むパス設定応答に基づいて、パス管理情報を回復する。【選択図】　図４
2004128816.tif 000002
【特許請求の範囲】
【請求項１】
シグナリングプロトコルを用いてパスを設定してデータ通信する複数の通信装置のうちの上流側に設けられた上流側通信装置と下流側に設けられた下流側通信装置とからなる一対の通信装置のうちの上流側の該通信装置であって、
パス設定要求に対して、該下流側通信装置において確保されたリソース情報と、該下流側通信装置において該初期化が検出される前に保持された該パス設定要求とを該下流側通信装置から受信する第１受信部と、
該第１受信部にて受信された該リソース情報と該折り返されたパス設定要求とに基づいてパス管理情報を回復する回復処理部とをそなえて構成されたことを特徴とする、通信装置。
【請求項２】
シグナリングプロトコルを用いてパスを設定してデータ通信する複数の通信装置のうちの上流側に設けられた上流側通信装置と下流側に設けられた下流側通信装置とからなる一対の通信装置のうちの下流側の該通信装置であって、
該上流側通信装置からのパス設定要求を受信する第２受信部と、
該第２受信部が受信した該パス設定要求を保持するパス管理情報保持部と、
該第２受信部にて受信された該パス設定要求を保持する受信パス設定要求保持部と、
該第２受信部の状態に基づいて該上流側通信装置の初期化を検出する検出部と、
該検出部の検出に基づいて保持部に保持されたリソース情報と該受信パス設定要求保持部に保持された該パス設定要求とを該上流側通信装置に対して送信する第２送信部とをそなえて構成されたことを特徴とする、通信装置。
【請求項３】
シグナリングプロトコルを用いてパスを設定してデータ通信する複数の通信装置のうちの上流側に設けられた上流側通信装置と下流側に設けられた下流側通信装置とからなる一対の通信装置のうちのいずれか一方の該通信装置であって、
パス設定要求を該下流側通信装置に送信する第１送信部と、
該第１送信部から送信された該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信する第１受信部と、
該第１受信部にて受信された該リソース情報と、該折り返されたパス設定要求とに基づいてパス管理情報を回復する回復処理部とをそなえるとともに、
該上流側通信装置からのパス設定要求を受信する第２受信部と、
該第２受信部が受信した該上流側通信装置からのパス管理情報を保持するパス管理情報保持部と、
該第２受信部にて受信された該パス設定要求を保持する受信パス設定要求保持部と、
該第２受信部の状態に基づいて該上流側通信装置の初期化を検出する検出部と、
該検出部の検出に基づいて保持部に保持されたリソース情報と該受信パス設定要求保持部に保持された該パス設定要求とを該上流側通信装置に対して送信する第２送信部とをそなえて構成されたことを特徴とする、通信装置。
【請求項４】
シグナリングプロトコルを用いてパスを設定してデータ通信する複数の通信装置をそなえた伝送システムにおいて、
該複数の通信装置のうちの上流側に設けられた上流側通信装置と下流側に設けられた下流側通信装置とからなる一対の通信装置のうちの該上流側通信装置が、
パス設定要求を該下流側通信装置に送信する第１送信部と、
該第１送信部から送信された該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信する第１受信部と、
該第１受信部にて受信された該リソース情報と、該折り返されたパス設定要求とに基づいてパス管理情報を回復する回復処理部とをそなえるとともに、
該下流側通信装置が、
該パスについて該上流側通信装置からのパス設定要求を受信する第２受信部と、
該第２受信部が受信した該上流側通信装置からのパス設定要求を保持する受信パス設定要求保持部と、
該第２受信部の状態に基づいて該上流側通信装置の初期化を検出する検出部と、
該検出部の検出に基づいて保持部に保持されたリソース情報と該受信パス設定要求保持部に保持された該パス設定要求とを該上流側通信装置に対して送信する第２送信部とをそなえて構成されたことを特徴とする、伝送システム。
【請求項５】
シグナリングプロトコルを用いてパスを設定してデータ通信する複数の通信装置のうちの上流側に設けられた上流側通信装置と下流側に設けられた下流側通信装置とからなる一対の通信装置における、パス管理情報回復方法であって、
該上流側通信装置が、該下流側通信装置に対して、パス設定要求を送信し、
該上流側通信装置が、該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信し、
該上流側通信装置が、該パス設定応答と、該折り返されたパス設定要求とに基づいて該パス管理情報を回復することを特徴とする、パス管理情報回復方法。
【発明の詳細な説明】
【０００１】
【発明の属する技術分野】
本発明は、ラベルパス又は波長パスを設定するためにシグナリングプロトコルを適用したデータ伝送システムのラベルスイッチ，タイムスロットスイッチおよび波長スイッチに関し、特に、パスが設定された状態において通信装置が通信装置自身のプロトコル処理手段を初期化した際にその通信装置が初期化直前に保持していたパス管理情報の回復に用いて好適な、通信装置，伝送システムおよびパス管理情報回復方法に関する。
【０００２】
【従来の技術】
一般に、通信プロトコルには、データリンクが確立してからデータ転送するコネクション型と、データリンクが確立しないでデータを送信するときに通信に必要な情報を送信しデータ転送するコネクションレス型とがある。コネクション型のネットワークにおいては、リンクの確立、監視および開放などのための送受信データのフォーマットを詳細に規定したシグナリングプロトコル（シグナリング：Ｓｉｇｎａｌｉｎｇ）が多数存在する。このシグナリングプロトコルを利用してパケット（特に断らない限り、ＩＰパケットを表す。）をルーティングする技術であって、パスを設定するプロトコルは、例えばＭＰＬＳ（Ｍｕｌｔｉ　Ｐｒｏｔｏｃｏｌ　Ｌａｂｅｌ　Ｓｗｉｔｃｈｉｎｇ）が知られている。
【０００３】
従来は、ＩＰアドレスに基づいてノード（通信装置又はルータなど）が方路を選択していた。ＭＰＬＳは、パケット転送において、各ノードが、ＩＰアドレスの代わりに短い固定長の識別標識（ラベル）を用いる。そして、ＭＰＬＳに対応するノードによって構成されたネットワークにおいては、各ノードが、パケットの宛先に応じて転送するノード識別情報（例えばノード名，ノードアドレス）を保持し、各転送経路はラベルによって識別されるようになっている。
【０００４】
さらに詳述すると、ＭＰＬＳを用いたルーティング方法は、一台のノードがパスにラベルを付与しその付与したラベルを他のノードとの間において、シグナリングプロトコルに基づいて交換し、ラベルにより方路を選択するようになっている。このＭＰＬＳを用いると、同一ラベルのパケットは、同一の次ホップノードに転送され、ネットワークを同一経路で転送され、また、ラベル交換パス（ＬＳＰ：Ｌａｂｅｌ　Ｓｗｉｔｃｈｅｄ　Ｐａｔｈ）が確立される。
【０００５】
ここで、ラベルとインタフェースとは独立して動作するものである。一般に一つのインタフェースに対して複数のラベルが利用されるようになっている。例えば、ラベルつきパケットのレイヤはラベルには２０ビットの空間が割り当てられており、インタフェース毎におよそ１００万個のラベルを取り扱うことができる。
【０００６】
各ノードは、パケットを受信すると、そのパケットのラベル（受信ラベル）を、次ホップノードに予め割り当てた送信ラベルに付け替える。そして、入口エッジノード（パスの始点に設けられたノード）と出口エッジノード（パスの終点に設けられたノード）との間における各ノードが、受信ラベルと送信ラベルとの対応関係を生成し、これにより、ラベルがシグナリングプロトコルによって各ノード間にて交換されるのである。また、シグナリングプロトコルに関しては、現在、ＩＥＴＦ（Ｉｎｔｅｒｎｅｔ　Ｅｎｇｉｎｅｅｒｉｎｇ　Ｔａｓｋ　Ｆｏｒｃｅ）のＭＰＬＳワーキンググループにおいて標準化が進められ、また、ＬＤＰ（Ｌａｂｅｌ　Ｄｉｓｔｒｉｂｕｔｉｏｎ　Ｐｒｏｔｏｃｏｌ）とＲＳＶＰ−ＴＥ（Ｒｅｓｏｕｒｃｅ　Ｒｅｓｅｒｖａｔｉｏｎ　Ｐｒｏｔｏｃｏｌ　ｗｉｔｈ　Ｔｒａｆｆｉｃ　Ｅｎｇｉｎｅｅｒｉｎｇ
ｅｘｔｅｎｓｉｏｎｓ：拡張帯域予約プロトコル）とが標準化されている。
【０００７】
ここで、ＬＤＰとは、ラベル配布専用のプロトコルであって、隣接ノード間もしくは離れた２点間のＬＳＲ間において、ラベル情報を交換するためのプロトコルである。ＲＳＶＰは、ＩＰネットワークにおいてデータを送受信するときの一般化されたラベルを予約するために考案されたものである。なお、一般化されたラベル情報については、図２２を用いて後述する。
また、ＲＳＶＰ−ＴＥは、ＲＳＶＰを拡張し各パスにラベル配布機能を加えたものである。
【０００８】
ここで、ＴＥ（トラフィックエンジニアリング）とは、特定のパケットのトラフィックが通過するトンネルの経路を明示的に与え、トンネルが消費する網資源を明示的に通知することによって、特定のトラフィックに対して特定の網資源を明示的に割り当て可能になったことを意味する。
また、ＬＤＰは、ＬＳＰの帯域（帯域幅）を確保する機能をもっていないので、この帯域を確保する機能を得るために、ＬＤＰの拡張プロトコルとして、ＣＲ−ＬＤＰ（Ｃｏｎｓｔｒａｉｎｔ　Ｒｏｕｔｅｄ　ＬＤＰ）が考案されている。
【０００９】
また、ＱｏＳ（Ｑｕａｌｉｔｙ　ｏｆ　Ｓｅｒｖｉｃｅ：ネットワークが提供するサービス品質）を保証するために用いられ、かつ転送経路を明示的に指定してパスを設定できるので、トラヒック制御可能である。なお、図１などを用いて後述する「ＲＳＶＰ−ＴＥネットワーク」は、制御部の中においてＲＳＶＰ−ＴＥが利用されているネットワークを意味し、この意味する点により、伝送部においてラベル付きパケットをフォワーディングする「ＭＰＬＳネットワーク」と異なる。
【００１０】
次に、具体的にＭＰＬＳとＩＰとを比較すると、ＩＰプロトコルにおいては、宛先ノードが同一の場合、全てのパケットは、ノード毎に経路を再計算されて転送される。これに対して、ＭＰＬＳによれば、ノードはラベルのみを参照すればよく、高速処理が可能となる。
なお、ＭＰＬＳおよびＬＳＰは、ＲＦＣ３０３１に規定され、ＲＳＶＰ−ＴＥはＲＦＣ３２０９に規定されている。
【００１１】
さらに、ＭＰＬＳを拡張して、ＳＯＮＥＴ／ＳＤＨ（Ｓｙｎｃｈｒｏｎｏｕｓ　Ｏｐｔｉｃａｌ　ＮＥＴｗｏｒｋ／Ｓｙｎｃｈｒｏｎｏｕｓ　Ｄｉｇｉｔａｌ　Ｈｉｅｒａｒｃｈｙ：同期光通信網／同期ディジタルハイアラーキ）に用いられるＶＣ（Ｖｉｒｔｕａｌ　Ｃｏｎｔａｉｎｅｒ）／ＶＴ（Ｖｉｒｔｕａｌ　Ｔｒｉｂｕｔａｒｙ）などの位置を示すタイムスロットと、波長多重ネットワークに用いられる波長パスで利用される波長などとをラベルとして扱えるようにしたＧＭＰＬＳ（Ｇｅｎｅｒａｌｉｚｅｄ　ＭＰＬＳ）も開発されている。換言すれば、ＧＭＰＬＳは、ＬＳＰを設定するシグナリングプロトコルに対して、ＳＯＮＥＴおよびＳＤＨのパスのほかに、波長パスなどの設定にも利用できるように拡張されたシグナリングプロトコルなのである。
【００１２】
従って、ＧＭＰＬＳは、パケットに限定されず、ＳＯＮＥＴ／ＳＤＨネットワークなどにおけるＶＣ／ＶＴのような時分割多重（ＴＤＭ：Ｔｉｍｅ　Ｄｉｖｉｓｉｏｎ　Ｍｕｌｔｉｐｌｅｘｉｎｇ）のパスと、波長多重ネットワークにおける波長パスとを設定／削除できる。ＧＭＰＬＳを利用すると、電気ノードと波長スイッチとを融合させたネットワーク制御が可能となる。さらに、エッジノード間におけるパケットがＬＳＰを利用して転送される。
【００１３】
これらのＧＭＰＬＳシグナリングプロトコルは、ＧＭＰＬＳをサポートするネットワークにおいて、パスを設定するためのシグナリングプロトコルである。このため、これらのシグナリングプロトコルは、基本的に制御部の中において処理され、伝送網と制御網とが分離されている場合においては、制御網を用いて伝送される。
【００１４】
なお、ＳＯＮＥＴあるいはＳＤＨのレイヤは、インタフェースに対して複数のタイムスロットがあるため、ラベルはタイムスロットの数だけあると考えることができる。波長のレイヤは、インタフェースに対して波長多重された信号が入出力されるので、ラベルは多重化された波長の数だけあると認識できる。
また、図２２は一般化されたラベルを説明するための図である。この図２２に示す一般化されたラベルは、パケットレイヤとＳＯＮＥＴ／ＳＤＨレイヤと波長レイヤとの３種類のレイヤにおいてそれぞれ別個の意味を有する。例えば、パケットレイヤにおける一般化されたラベル情報とは、パケットの先頭又は末尾に付されたラベル値であり、ＳＯＮＥＴ／ＳＤＨレイヤにおける一般化されたラベル情報はタイムスロットであり、また、波長レイヤにおける一般化されたラベル情報は波長を意味する。このラベルを一般化した概念は、リソース（リソース情報）として、ノードがもつラベル空間，帯域又は待ち合わせのためのバッファメモリなどを意味することがある。
【００１５】
上述したように、ＲＳＶＰ−ＴＥのようなシグナリングプロトコルを利用してパスを設定する技術は、ＭＰＬＳのためのラベルスイッチパスを設定するための技術として開発されたが、伝送ネットワークとルータネットワークとを統合したコントロールプレーンを実現するために、ＴＤＭ（Ｔｉｍｅ　Ｄｉｖｉｓｉｏｎ　Ｍｕｌｔｉｐｌｅｘｉｎｇ）のパスおよび波長多重光を用いた伝送システムにおける波長パスを設定するために適用することが検討されている。このようなシグナリングプロトコルを利用してパスを設定することは、パス設定手順を分散化して処理することになるため、スケーラビリティの面でも優れている。このようなシグナリングプロトコルに関しては、現在Ｉｎｔｅｒｎｅｔ　Ｅｎｇｉｎｅｅｒｉｎｇ　Ｔａｓｋ　Ｆｏｒｃｅ（ＩＥＴＦ）のＭＰＬＳワーキンググループ（ＭＰＬＳ　Ｗｏｒｋｉｎｇ　Ｇｒｏｕｐ）において標準化が進められている。
【００１６】
（Ｊ１）パス管理情報について
パス管理情報は、パス識別子、フォワーディングテーブルエントリへのポインタを最低限含み、その他入力インターフェース（ノードがパスの始点ではない場合）、入力ラベル（ノードがパスの始点ではない場合）、出力インターフェース（ノードがパスの終点でない場合）、出力ラベル（ノードがパスの終点ではない場合）、受信されたシグナリングプロトコルメッセージによってメッセージの送信先のシグナリングプロトコル処理部から要求又は通知された情報、下流側ノードに対してパスメッセージを送信するために必要な情報（ＲＳＶＰ−ＴＥを利用しかつパスの終点ではない場合）、上流側ノードに対して予約メッセージを送信するために必要な情報（ＲＳＶＰ−ＴＥを利用しかつパスの始点ではない場合）その他プロトコルによって必要なタイマ又は状態情報などを含む。
【００１７】
ここで、「メッセージの送信先のシグナリングプロトコル処理部から要求又は通知された情報」とは、例えばパスの要求帯域、要求経路、プライオリティなどである。これらの情報は、例えばネットワーク管理者又はネットワーク管理システムによって、パスの入口エッジノードのシグナリングプロトコル処理部に対して要求され、順次シグナリングプロトコルメッセージを通して下流側ノードのシグナリングプロトコル処理部に対して要求される。
【００１８】
図２３はパス管理情報を説明するための図であり、シグナリングプロトコルを用いてパスを設定する通信装置の一例が表示されている。この図２３に示す通信装置１５０は、シグナリングプロトコルを管理するためのシグナリングプロトコル処理部１５０ａと、フォワーディングプロセスを管理するためのフォワーディングプロセス実行部１５０ｂとを有する。ここで、シグナリングプロトコル処理部１５０ａは、複数のパスのそれぞれについてのパス管理情報を保持するパス管理情報テーブルをもっており、隣接ノード（図示省略）のシグナリングプロトコル処理部１５０ａと通信しながらこのパス管理情報を更新する。
【００１９】
（Ｊ１−１）パス識別子の要素
パス管理情報として最低限含まれる要素は、シグナリングプロトコル処理部１５０ａがそれぞれのパスを識別するためのパス識別子と、このパス識別子に対応するフォワーディングテーブルのエントリへのポインタとからなる。
（Ｊ１−２）パス識別子
パス識別子は、パスをネットワークにおいてユニークに識別するための識別子であり、また、対応するフォワーディングテーブルエントリの位置を示す情報でもある。パス識別子は、次の（Ｉ）〜（ＩＶ）の４種類の必須情報を元に生成され、また、（Ｖ）〜（ＶＩＩＩ）の付随的（オプション的）な情報を含むこともできる。
【００２０】
（Ｉ）入力インターフェース（ノードがパスの始点でない場合）
（ＩＩ）入力ラベル（ノードがパスの始点でない場合）
（ＩＩＩ）出力インターフェース（ノードがパスの終点でない場合）
（ＩＶ）出力ラベル（ノードがパスの終点でない場合）
（Ｖ）シグナリンクプロトコル処理部１５０ａによって要求又は通知されたパスの属性（例えば経路，帯域又は優先順位などであり、付随的に用いられる）
（ＶＩ）下流側ノードに対してパスメッセージを送信するために必要な情報（ＲＳＶＰ−ＴＥを利用し、かつパスの終点でない場合）
（ＶＩＩ）上流側ノードに対して予約メッセージを送信するために必要な情報（ＲＳＶＰ−ＴＥを利用し、かつパスの始点でない場合）
（ＶＩＩＩ）その他プロトコルにより必要なタイマ又は状態情報など
そして、フォワーディングテーブルのエントリとパス識別子とを対にすることにより、シグナリングプロトコル処理部１５０ａが特定のパスに対応するフォワーディングエントリを認識でき、また、特定のパスに対して削除又は変更などを操作するように指示できるようになっている。
【００２１】
（Ｊ１−３）パス管理情報の他の要素
パス管理情報の要素は、これらに加えて、パスのプライオリティ、要求帯域、要求経路に関する情報などを含めることもできる。これらの情報が含められるか否かは、適用されるシグナリングプロトコル又はネットワークの管理方針などに依存する。
【００２２】
また、これらのパスのプライオリティ、要求帯域、要求経路などがパス設定時にネットワーク管理者又はネットワーク管理システムによって指定されたものである場合は、これらの情報はパス要求メッセージによってネットワーク内のパスに沿った全てのノードに対して通知される。
（Ｊ２）メッセージ種別
隣接ノード間において、上流側ノードは下流側ノードに対して、パス設定要求（パス設定要求メッセージ）を送信し、また、下流側ノードは上流側ノードに対して、パス設定要求に対応するパス応答（パス応答メッセージ又はパス設定応答メッセージ）を送信する。これらの「パス設定要求メッセージ」および「パス応答メッセージ」はいずれもシグナリングプロトコルの一般的なメッセージ名称である。
【００２３】
また、ＲＳＶＰ−ＴＥの仕様においては、これらの「パス設定要求メッセージ」および「パス応答メッセージ」に対応する「Ｐａｔｈメッセージ」（図２４参照）および「Ｒｅｓｖメッセージ」（図２５参照）が規定されている。以下、特に断らない限り、「Ｐａｔｈメッセージ」および「Ｒｅｓｖメッセージ」をそれぞれ、「パスメッセージ」および「予約メッセージ」と称する。
【００２４】
（Ｊ３）パス管理情報に含まれるパス状態情報および予約状態情報
ここで、ＲＳＶＰ−ＴＥプロトコルによると、パス管理情報は，大別して，パス状態情報および予約状態情報に分類できる。
（Ｊ３−１）パス状態情報
このパス状態情報とは、パスの入口エッジノードが、下流側の通信装置に送信するパスメッセージを生成するために必要な情報である。
【００２５】
さらに詳述すると、パス状態情報とは、シグナリンクプロトコルとしてＲＳＶＰ−ＴＥを利用することを仮定した場合において、パス管理情報のうちの上流側通信装置からのパスメッセージによって通知される情報（ただし、パスの始点でない場合）と、下流側通信装置に対してパスメッセージを送信するために必要な情報（ただし、パスの終点でない場合）とを意味する。このパス状態情報は、パスの識別子若しくは要求する経路又は帯域の情報などをも含む。ＲＳＶＰ−ＴＥプロトコルにおけるパスメッセージの一例を図２４に示す。また、パスの入口以外の通信装置が保持するパス状態情報は、上流側の通信装置からのパスメッセージによりリフレッシュされるようになっている。
【００２６】
（Ｊ３−２）予約状態情報
一方、予約状態情報は、パス識別子およびパスのために、下流側ノードがパスに割り当てて上流側ノードに通知する一般化されたラベルの情報などを含む。
さらに詳述すると、予約状態情報とは、シグナリンクプロトコルとしてＲＳＶＰ−ＴＥを利用することを仮定した場合において、パス管理情報のうちの下流側通信装置からの予約メッセージによって通知される情報（ただし、パスの終点でない場合）と、上流側通信装置に対して予約メッセージを送信するために必要な情報（ただし、パスの始点でない場合）とを意味する。この予約状態情報は、パスに対して割り当てられた入力／出力ラベルなどの情報をも含む。また、パスの下流側通信装置からの応答メッセージによってリフレッシュされる。ＲＳＶＰ−ＴＥプロトコルにおける予約メッセージの一例を図２５に示す。
【００２７】
（Ｊ３−３）エントリ
さらに、パス状態情報と予約状態情報とからフォワーディングテーブルのエントリが生成される。フォワーディングプロセスは、シグナリングプロトコル処理部１５０ａによって設定されたフォワーディングテーブルに従って、実際にデータのスイッチングおよびフォワーディングが行なわれる。
【００２８】
（Ｊ４）シグナリングプロトコル処理部１５０ａのみの初期化
開発当初の通信装置においては、シグナリングプロトコルによるプロセスとフォワーディングプロセスとが、いずれも、同一のハードウェア（例えばプロセッサ）によって実行される２種類のプロセスであったが、通信装置のスイッチング容量の増大およびノードの高機能化に伴い、パスの制御を行なうシグナリングプロトコルと実際のデータのフォワーディングを行なうフォワーディングプロセスとは、それぞれ、異なるハードウェアを用いて実現されるようになってきている。
【００２９】
また、通信装置は、例えばシグナリングプロトコル処理を実行するハードウェアの故障修理又は保守のために交換することがあり、また、パス制御のために実行されているシグナリングプロトコル処理のプログラムのバージョンアップを行なうことがある。このため、通信装置は、フォワーディングプロセスを中断せずに、シグナリングプロトコル処理部１５０ａのみを初期化する必要がある。
【００３０】
ＲＳＶＰ−ＴＥプロトコルによると、この初期化をする場合は、ノードはそのノードのフォワーディングプロセスに用いられるフォワーディングテーブルのエントリをも削除するようになっていた。また、その隣接ノードもパスメッセージおよび応答メッセージによりパス管理情報がリフレッシュされないので、パス管理情報に対応するフォワーディングテーブルのエントリを削除しパスそのものを削除するようになっていた。しかしながら、フォワーディングプロセスは中断されていないので、パス管理情報が何らかの形で回復されれば、本来、パスを削除する必要性はない。
【００３１】
（Ｊ５）パス管理情報の回復
（Ｊ５−１）パス管理情報の回復手順について
パス管理情報の回復手順として、ＲＳＶＰ　Ｇｒａｃｅｆｕｌ　Ｒｅｃｏｖｅｒｙと呼ばれる方法が提案されている。以下、後述する図２７（ａ）〜図２７（ｄ）に従来方式の問題点を説明するために、ＲＳＶＰ　Ｇｒａｃｅｆｕｌ　Ｒｅｃｏｖｅｒｙの正常動作について図２６（ａ）〜図２６（ｅ）を用いて詳述する。
【００３２】
この図２６（ａ）〜図２６（ｅ）に示すノード１６０ａ〜１６０ｃは、それぞれ、左側，真中および右側の通信装置を表し、また、パスの前ホップノード，初期化するノードおよびパスの次ホップノードとして機能している。これらのノード１６０ａ〜１６０ｃは、いずれも、他のノードとパケットを送受信するためのインターフェース（ＩＦ：Ｉｎｔｅｒｆａｃｅ）を有し、各インターフェースのパケット入出力を管理するようになっている。この管理のために、ノード１６０ａ〜１６０ｃは、いずれも、パス管理情報テーブル（パス管理情報保持部）とフォワーディングテーブルとを有し、これにより、ノード１６０ａ〜１６０ｃ間におけるパスの設定内容が明らかになっている。
【００３３】
このパス管理情報テーブルは、パス状態（Ｐａｔｈ状態）と予約状態（Ｒｅｓｅｒｖｅ　［Ｒｅｓｖ］状態）とを管理するためのものであり、通常運用時においては、再開時刻（リスタートタイム：Ｒｅｓｔａｒｔ　Ｔｉｍｅ）および回復時刻（リカバリタイム：Ｒｅｃｏｖｅｒｙ
Ｔｉｍｅ）を含むＨｅｌｌｏメッセージを広告する。
また、フォワーディングテーブルは、入力インターフェース（入力ＩＦ）および入力ラベルからなる入力情報と、出力インターフェース（出力ＩＦ）および出力ラベルからなる出力情報とを保持している。例えば、図２６（ａ）に示すノード１６０ａの入力ＩＦは＃１でありその入力ＩＦ＃１に付与された入力ラベルはＬ２である。また、出力ＩＦおよび出力ラベルはそれぞれＬ２およびＬ３が割り当てられている。
【００３４】
図２６（ａ）は初期化前の通常運用時における各ノードの管理情報を説明するための図である。この図２６（ａ）に示すＨｅｌｌｏメッセージは、ＲＳＶＰ−ＴＥをベースとしたシグナリングプロトコルに用いられるものである。このＨｅｌｌｏメッセージは、再開時刻および回復時刻の２種類のパラメータを含む。この再開時刻は初期化によりＨｅｌｌｏメッセージが途切れると思われる時間を示している。隣接ノードは、パス管理情報テーブルに保持されたパスメッセージおよび応答メッセージによるリフレッシュが停止しても、これらのパラメータによって指定された時間は、パス管理情報とこれに対応するフォワーディングテーブルのエントリとを保持する。また、回復時刻は、この回復時刻によって示される時間内に現在設定されている全てのパスに対するパス管理情報のリフレッシュを隣接ノード１６０ａ，１６０ｃからノード１６０ｂに対して返すように、ノード１６０ｂが要求するためのものである。この回復時刻は通常運用時には０に設定されている。ノード１６０ｂは、初期化によりリフレッシュが中断しても、パス管理情報をＸミリ秒間だけ保持するように隣接ノード１６０ａ，１６０ｃに広告している。
【００３５】
また、次のようなパスが設定されているものとする。すなわち、最初の状態においてノード１６０ａのＩＦ＃２からラベルＬ２とともに出力された情報は、ノード１６０ｂにてそのラベルをＬ３に付け替えられてＩＦ＃２から出力され、さらに、ノード１６０ｃにてそのラベルをＬ４に付け替えられてＩＦ＃２から出力される。また、シグナリングプロトコル処理部１５０ａはこのパスに関するパス管理情報を有し、ノード１６０ａが上流側隣接ノードでありノード１６０ｃが下流側隣接ノードである旨が明確になっている。
【００３６】
図２６（ｂ）はノード１６０ｂが何らかの理由により初期化している状態を示す図である。ノード１６０ｂが初期化中なので、パス管理情報テーブルが失われ、隣接ノード１６０ａ，１６０ｃに対するＨｅｌｌｏメッセージが送信されない。なお、フォワーディングテーブルは維持される。
図２６（ｃ）はノード１６０ｂの初期化が完了し再度Ｈｅｌｌｏメッセージを送信できるようになった瞬間の状態を示す図である。ノード１６０ｂは、回復時刻をＹとすることにより、Ｙミリ秒の間に全てのパスに対するリフレッシュをノード１６０ｂ自身に返すことを隣接ノード１６０ａ，１６０ｃに要求する。この状態において、ノード１６０ｂはパス管理情報を失っているので、ノード１６０ｃに対してパスメッセージを送信できない。一方、ノード１６０ｂ，１６０ｃは、上流側のノード１６０ａがパスメッセージを送信するのを待っている。
【００３７】
また、上流側のノード１６０ａは、パス管理情報テーブルなどにより自分自身が上流側であることを知っている。そして、図２６（ｄ）に示すノード１６０ａは、この要求に応じてノード１６０ｂに対してパスメッセージを送信する。このパスメッセージに含まれるリカバリラベルは、対象となるパスについてこれらのノード１６０ａと１６０ｂとの間にて利用されていたラベル値を表し、その値はＬ２である。
【００３８】
ノード１６０ｂは、このパスメッセージを受信すると、フォワーディングテーブルに保持されたリカバリラベルＬ２を検索して、この入力ラベルＬ２をもつパスのエントリがフォワーディングテーブル内にあることを確認し、さらに、入力ラベルＬ２に対応する出力ラベルＬ３を確認する。
これにより、このパスに関するパス状態情報が回復する。さらに、ノード１６０ｂはフォワーディングテーブルによって確認した出力ラベルＬ３をリカバリラベルに含め、回復したパス管理情報からパスメッセージをノード１６０ｃに送信する。
【００３９】
図２６（ｅ）に示すノード１６０ｃはこのパスメッセージを受信すると、そのパスメッセージに対応する予約メッセージをノード１６０ｂに送信する。これにより、ノード１６０ｂの予約状態情報が回復し、初期化したノード１６０ｂにおいて全てのパス管理情報が回復する。
このように、従来技術は、シグナリングプロトコル処理部１５０ａを初期化したノードのパス管理情報の回復手順は、パスの上流側ノードから下流側ノードに対してパスメッセージを送信することによって始まる。
【００４０】
なお、従来技術として、ラベルスイッチに障害が発生し、そのラベルスイッチがネットワークから切り離された場合でも、そのラベルスイッチの下位に存するエッジノードがそのネットワークを通じて他のエッジノードとの間で通信を行なうことが可能なネットワークシステムが開示されている（例えば、特許文献１参照。）。
【００４１】
これにより、コアネットワークのラベルスイッチが故障した場合においても、その故障したラベルスイッチに接続されているエッジノードが、正常に動作している他のラベルスイッチに接続されたエッジノードと継続して通信できる。
【００４２】
【特許文献１】
特開２０００−２０９２８７号公報
【００４３】
【発明が解決しようとする課題】
しかしながら、従来技術による回復手順は、パスの入口エッジノードにおいてシグナリングプロトコル処理部１５０ａを初期化した場合には、パス管理情報を回復できない。これについて、図２７（ａ）〜図２７（ｄ）を用いて説明する。入力ＩＦ，入力ラベル，出力ＩＦおよび出力ラベルの例はそれぞれ、図２６（ｂ）〜図２６（ｅ）に示すものとほぼ同様である。
【００４４】
図２７（ａ）〜図２７（ｄ）はそれぞれ従来技術を用いた方式の課題を説明するための図であり、ＲＳＶＰを拡張したＧＭＰＬＳが適用された場合の状態を表示している。この図２７（ａ）に示すノード１６０ａは初期化するノード（＝パスの入口）を表し、ノード１６０ｂはパスの次ホップノードである。図２７（ｂ）〜図２７（ｄ）に示すものについても同様である。
【００４５】
まず、図２７（ａ）は初期化前の通常運用時の状態を示しており、ノード１６０ａからノード１６０ｂに対して、Ｈｅｌｌｏメッセージが広告されている。初期化の対象は、波長スイッチ，タイムスロットスイッチあるいはパケットスイッチに付随するコントローラであってＧＭＰＬＳプロトコルを処理する部分である。ノード１６０ａがノード１６０ｂに対して広告する内容は、初期化によりリフレッシュが中断してもパス管理情報をＸミリ秒間だけ保持するように依頼しているのである。
【００４６】
この最初の状態において、パスが次のように設定されていると仮定する。すなわち、ノード１６０ａが上流側として、その出力ＩＦ＃２からラベルＬ３を付して情報を送信し、そして、ノード１６０ｂが下流側としてその情報を受信し、その情報にラベルＬ４を付して出力ＩＦ＃２から出力すると仮定する。シグナリングプロトコル処理部１５０ａはこのパスに関するパス管理情報を有する。
【００４７】
図２７（ｂ）はノード１６０ａが初期化している状態を示す図である。初期化が実行されると、ノード１６０ａにおいてパス管理情報が失われ、このため、隣接ノードに対するＨｅｌｌｏメッセージの広告が停止する。ここで、パス管理情報が失われてもフォワーディングテーブルがあればパスそのものは存在するが、そのパスをネットワークにおいて識別する手段が失われてしまう。すなわち、個別にパスを指定してそのパスを処理することができなくなる。
【００４８】
図２７（ｃ）はノード１６０ａの初期化が完了し再度Ｈｅｌｌｏメッセージを送信できるようになった瞬間の状態を示す図である。ノード１６０ａがパス管理状態を失っている一方、ノード１６０ｂはパス管理状態を有する。従って、ノード１６０ｂはノード１６０ａからパスが入力されていることを知っている。ここで、前記の仮定に反してノード１６０ｂがパスについての上流側であるときは、ノード１６０ｂはノード１６０ａに対してパスメッセージを送信するが、その仮定によりノード１６０ｂは下流側である。従って、設定されているパスに対応する入口の通信装置はノード１６０ａであるので、ノード１６０ｂはこのパスに対応するパスメッセージをノード１６０ａに対して送信せず、また、送信可能なノードもない。
【００４９】
また、回復時刻のＹミリ秒は、ノード１６０ａがノード１６０ｂに対してＹミリ秒の間に全てのパスに対するパスメッセージ（リフレッシュ）を返すことを要求する意味である。このため、ノード１６０ａは、回復時刻をカウントダウンし回復時刻が０になると、そのパスは復旧しないと判定してフォワーディングテーブルを消去する。
【００５０】
図２７（ｄ）において、ノード１６０ａは回復時刻の間にパスメッセージを受信できなかったので、ノード１６０ａのフォワーディングテーブルのエントリが削除されている。また、ノード１６０ｂもパスメッセージを受信できないためパス状態情報および対応するフォワーディングテーブルのエントリが削除される。従って、正常動作と障害時動作とを比較すると、正常動作時（図２６（ｄ）および図２６（ｅ）参照）は、ノード１６０ｂがパスメッセージを受信し、これにより、予約状態情報が復旧する。すなわち、正常動作時は上流側ノードが存在しているが、障害時は上流側ノードが存在せず、パスメッセージを送信するノードが存在しない。また、障害時のパス管理情報テーブルを残しておくと、無限又は無駄な処理が行なわれるので削除され、このため、正常なリフレッシュも不可能となり、フォワーディングテーブルも消去される。
【００５１】
このように、ＲＳＶＰ　Ｇｒａｃｅｆｕｌ　Ｒｅｃｏｖｅｒｙ手順においてはパスの入口エッジノードが初期化されてしまうと、この入口エッジノードのシグナリングプロトコル処理部１５０ａがもつパス管理情報を回復させることができないため、最終的にパスが削除されるという課題がある。
さらに、パケット伝送システムのほかに、ＳＯＮＥＴ／ＳＤＨシステム又は波長多重伝送システムにおいても、同様の課題が生じる。
【００５２】
また、特許文献１記載のネットワークシステムは、シグナリングによりパスを設定して通信しているネットワークにおいて、ノードが再起動したときにパス識別子と、そのパスによって伝送路上で利用されているラベルとの間の対応関係を管理しているテーブルの内容が失われる。従って、特許文献１記載の技術は、失われた対応関係を回復させることはできない。
【００５３】
本発明は、このような課題に鑑み創案されたもので、ラベルパス又は波長パスをシグナリングプロトコル処理部により設定してパス管理情報を用いて伝送する伝送システムにおいて、パスが設定された状態において、特にエッジノードが障害発生などにより初期化されたときに初期化直前にもっていたパス管理情報を回復させることが可能な、通信装置，伝送システムおよびパス管理情報回復方法を提供することを目的とする。
【００５４】
【課題を解決するための手段】
このため、本発明の通信装置は、シグナリングプロトコルを用いてパスを設定してデータ通信する複数の通信装置のうちの上流側に設けられた上流側通信装置と下流側に設けられた下流側通信装置とからなる一対の通信装置のうちの上流側の通信装置であって、パス設定要求に対して、下流側通信装置において確保されたリソース情報と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえて構成されたことを特徴としている（請求項１）。
【００５５】
また、本発明の通信装置は、上流側通信装置と下流側通信装置とからなる一対の通信装置のうちの下流側の通信装置であって、上流側通信装置からのパス設定要求を受信する第２受信部と、第２受信部が受信したパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されたことを特徴としている（請求項２）。
【００５６】
さらに、本発明の通信装置は、上流側通信装置と下流側通信装置とからなる一対の通信装置のうちのいずれか一方の通信装置であって、パス設定要求を下流側通信装置に送信する第１送信部と、第１送信部から送信されたパス設定要求に基づいて下流側通信装置において割り当てられた一般化されたラベル情報を含むパス設定応答と、下流側通信装置において初期化が検出される前に保持されたパス設定要求とを下流側通信装置から受信する第１受信部と、第１受信部にて受信されたリソース情報と、折り返されたパス設定要求とに基づいてパス管理情報を回復する回復処理部とをそなえるとともに、上流側通信装置からのパス設定要求を受信する第２受信部と、第２受信部が受信した上流側通信装置からのパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されたことを特徴としている（請求項３）。
【００５７】
そして、本発明の伝送システムは、上流側通信装置が、パス設定要求を下流側通信装置に送信する第１送信部と、第１送信部から送信されたパス設定要求に基づいて下流側通信装置において割り当てられた一般化されたラベル情報を含むパス設定応答と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえるとともに、下流側通信装置が、パスについて上流側通信装置からのパス設定要求を受信する第２受信部と、第２受信部が受信した上流側通信装置からのパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されたことを特徴としている（請求項４）。
【００５８】
また、本発明のパス管理情報回復方法は、上流側通信装置が、下流側通信装置に対して、パス設定要求を送信し、パス設定要求に基づいて下流側通信装置において割り当てられた一般化されたラベル情報を含むパス設定応答と下流側通信装置において初期化が検出される前に保持されたパス設定要求とを下流側通信装置から受信し、パス設定応答と折り返されたパス設定要求とに基づいてパス管理情報を回復することを特徴としている（請求項５）。
【００５９】
【発明の実施の形態】
以下、図面を参照して本発明の実施の形態を説明する。
（Ａ）本発明の第１実施形態の説明
図１は本発明の第１実施形態に係る伝送システムの構成例を示す図である。この図１に示す伝送システム２００は、シグナリングプロトコルを用いてパスを設定してデータ通信する複数のパケット通信装置（通信装置：以下、ノードと称することがある。）１０１〜１０７をそなえたものであり、ラベルパスを設定するためにシグナリングプロトコルを利用するネットワークシステムである。この伝送システム２００は、ＩＰネットワーク５００，５０１とＲＳＶＰ−ＴＥネットワーク１００とをそなえて構成されている。
【００６０】
ここで、ＩＰネットワーク５００，５０１は、いずれも、パケットを送受信する外部ネットワークである。また、ＲＳＶＰ−ＴＥネットワーク１００は、各ノード間を接続する制御ラインと伝送ラインとのうちの制御ライン又は各ノードに設けられた制御部においてＲＳＶＰ−ＴＥが利用されているネットワークであり、帯域を確保する機能とパスを設定する機能とを有し、また、複数のノードが相互にメッシュ状に接続され、ＩＰネットワーク５００，５０１と接続される部分にそれぞれ入口エッジノード１０１および出口エッジノード１０７を設けている。
【００６１】
以下の説明において、パケットは、入口エッジノード１０１から出口エッジノード１０７の方向に転送されるものとする。また、転送経路の一例として、パケットは、入口エッジノード１０１にてノード１０３に転送され、各ノード１０５，１０６を介して出口エッジノード１０７からＩＰネットワーク５０１に転送される。逆方向の転送も同様に、出口エッジノード１０７がＩＰネットワーク５０１からパケットを受信し、そのパケットが入口エッジノード１０１から、他のノード１０２〜１０７を介して、ＩＰネットワーク５００に転送されるのである。
【００６２】
ここで、上流側および下流側とは、入口エッジノード１０１から出口エッジノード１０７への転送経路において、入口エッジノード１０１側および出口エッジノード１０７側を意味する。例えば入口エッジノード１０１およびノード１０２は、それぞれ、上流側ノード，下流側ノードの対であり、また、ノード１０５，１０６も、それぞれ、上流側ノード，下流側ノードの対である。すなわち、入口エッジノード１０１は、シグナリングプロトコルを用いてパスを設定してデータ通信する複数のノード１０１〜１０７をそなえた伝送システム２００において、複数のノード１０１〜１０７のうちの上流側に設けられた入口エッジノード１０１（上流側通信装置）と下流側に設けられたノード１０２（下流側通信装置）とからなる一対のノード１０１，１０２のうちの上流側のノードである。ノード１０２は、その一対のノード１０１，１０２のうちの下流側のノードである。
【００６３】
また、入口エッジノード１０１およびノード１０２〜１０７間は、いずれも、パケットを伝送するための伝送ライン９ｂとノード間の制御信号を送受信するための制御ライン９ａとが設けられおり、伝送ライン９ｂは、伝送ネットワークとして機能するようになっている。
（１）転送方法の説明
図２は本発明の第１実施形態に係る転送方法を説明するための図であり、入口エッジノード１０１およびノード１０２〜１０７間は、いずれも、制御ライン９ａおよび伝送ライン９ｂが設けられている。そして、入口エッジノード１０１およびノード１０２〜１０７間の制御ライン９ａが、それぞれメッシュ状に相互に接続され、制御ネットワークとして機能している。また、入口エッジノード１０１は、制御部（コントローラ）１０と伝送部２０とをそなえて構成されている。
【００６４】
この図２に示す制御部１０は、伝送部２０の状態に応じてシグナリングプロトコルに基づく制御メッセージを生成し制御ライン９ａにて生成した制御メッセージを送信するとともに、制御ライン９ａからの制御メッセージを受信しその制御メッセージに含まれる制御情報（又は制御情報を含む制御信号としてのパケット）に基づいて伝送部２０を制御するものである。
【００６５】
さらに、伝送部２０は、複数の隣接ノードからのパケットを受信し制御部１０による制御に基づいて各パケットのラベルを付け替えて、新たなラベルを付与された各パケットを複数の隣接ノードに対して送信するものである。例えば、ノード１０２の伝送部２０は、例えば入口エッジノード１０１，ノード１０５および図示を省略するメッシュ状に接続された他のノードなどの複数の隣接ノードとパケット送受信する。他のノードについても同様である。
【００６６】
なお、ＲＳＶＰ−ＴＥは、制御部１０において動作するプロトコルであり、伝送部２０にて利用される伝送プロトコルのレイヤ構造において動作するものではない。また、ＲＳＶＰ−ＴＥは複数のレイヤ（光パス、ＳＯＮＥＴ／ＳＤＨのような時分割多重のパス、ラベルつきパケットのパス）を制御できるように拡張されている。
【００６７】
（２）ノードの構成例
次に、伝送部２０および制御部１０の構成例について図３を用いて説明する。
（２−１）入口エッジノード１０１
図３は本発明の第１実施形態に係る入口エッジノード１０１の概略的なブロック図である。この図３に示す入口エッジノード１０１は、第１送受信部３０（図２においては図示省略），制御部１０，伝送部２０，ルーティングテーブル３１をそなえて構成されている。
【００６８】
第１送受信部３０は、制御ネットワークを伝送する制御情報（又は制御信号）を送受信するものであり、例えばＬＡＮ（Ｌｏｃａｌ　Ａｒｅａ　Ｎｅｔｗｏｒｋ）、入出力ポートおよび入出力ＩＣ（Ｉｎｔｅｇｒａｔｅｄ　Ｃｉｒｃｕｉｔ）などが協働することによって、受信機能（第１受信部）および送信機能（第１送信部）がそれぞれ発揮される。
すなわち、第１送受信部３０は、第１受信部として、パス設定要求に対して、後述するパス設定要求を複数のノード１０１〜１０７のうちの下流側に設けられたノード１０２において確保されたリソース情報とノード１０２において初期化が検出される前に保持されたパス設定要求とをノード１０２から受信する。また、第１送受信部３０は、第１送信部として、パス設定要求を下流側の例えばノード１０２に送信する。
【００６９】
また、ルーティングテーブル３１は、受信パケットのアドレスに基づいて、入口エッジノード１０１以外の他のノードに転送するためのものである。
（２−２）ノード１０２など
図４は本発明の第１実施形態に係るノード１０２の概略的なブロック図である。この図４に示すノード１０２は、第２送受信部２５，受信パス設定要求保持部２７，検出部２６，制御部１０，伝送部２０およびレイヤ処理部２９を有する。
【００７０】
第２送受信部２５は、送受信機能を有し第２受信部として、パスについて上流側に設けられた入口エッジノード１０１からのパス設定要求を受信するものである。また、第２送受信部２５は、第２送信部として、以下に述べる検出部２６の検出に基づいてパス管理情報テーブル１２に保持されたパス管理情報を元に生成されたパス設定応答メッセージと受信パス設定要求保持部２７に保持されたパス設定要求メッセージとを入口エッジノード１０１に対して送信する。
【００７１】
これにより、受信パス設定要求保持部２７により、入口エッジノード１０１から送信された情報のうちのパス設定要求メッセージが保持され、そして、入口エッジノード１０１における初期化後にこの保持されたパス設定要求メッセージが入口エッジノード１０１に対して返されるのである。
さらに、検出部２６は、第２送受信部２５の状態に基づいて入口エッジノード１０１の初期化を検出するものであり、第２送受信部２５にて受信されたパケットの内容を参照するものである。この機能は、例えばＩＣ又はＣＰＵ（Ｃｅｎｔｒａｌ　Ｐｒｏｃｅｓｓｉｎｇ　Ｕｎｉｔ），ＲＯＭ（Ｒｅａｄ　Ｏｎｌｙ　Ｍｅｍｏｒｙ）およびＲＡＭ（Ｒａｎｄｏｍ　Ａｃｃｅｓｓ
Ｍｅｍｏｒｙ）などによって実現される。
【００７２】
この検出部２６により、伝送システム２００が、パスについてのラベル付与機能を有するシグナリングプロトコルを用いるとともに、ノード１０２が、入口エッジノード１０１のシグナリングプロトコル処理部の初期化を検出する直前に受信したパス設定要求メッセージを、これに対するパス設定応答（予約）メッセージとともに、入口エッジノード１０１に対して送信する。これにより、入口エッジノード１０１のシグナリングプロトコル処理部の中のパス管理情報の回復が容易になって多額の設備改変を伴わずに高い付加価値を発生させることができる。
【００７３】
制御部１０およびシグナリングプロトコル処理部１１は、後述する入口エッジノード１０１に設けられた制御部およびシグナリングプロトコル処理部のそれぞれとほぼ同一機能を有する。また、シグナリングプロトコル処理部１１は、第２送受信部２５が受信した入口エッジノード１０１からのパス設定要求メッセージおよび下流側ノードである隣接ノード１０３からのパス設定応答メッセージを元に生成されるパス管理情報を有する。
【００７４】
これにより、伝送部２０が、入口エッジノード１０１からのパケットを受信し処理した後に、その処理パケットを隣接ノード１０３に送信する。また、制御部１０は、制御ネットワークを介して制御信号を送受信し、受信した制御信号に基づいて、伝送部２０の動作を制御する。
そして、第２送受信部２５は、第２送信部として、検出部２６の検出に基づいて、パス管理情報テーブル１２に保持されたパス管理情報を元に生成されたパス設定応答メッセージと受信パス設定要求保持部２７に保持されたパス設定要求メッセージとを入口エッジノード１０１に対して送信するようになっている。
【００７５】
これにより、入口エッジノード１０１から見て下流側のノード１０２〜１０７は、いずれも、第１送信部３０から送信されたパス設定要求メッセージに基づいて必要な帯域，メモリ領域などの一般化されたラベル情報を含むパス設定応答の種類およびその確保したパス設定応答の大きさ又は量などの値をパス管理情報の一部として保持する。さらに、ノード１０２は、入口エッジノード１０１の後述するシグナリングプロトコル処理部の初期化が検出される前（初期化が検出される直前が好ましい。）に入口エッジノード１０１のシグナリングプロトコル処理部から受信し保持したパス設定要求メッセージをこれに対応するパス設定応答メッセージとともに入口エッジノード１０１のシグナリングプロトコル処理部の初期化が完了したときに入口エッジノード１０１に対して送信する。
【００７６】
さらに、本発明のパス管理情報回復方法は、ノード１０２が、入口エッジノード１０１に送信するＲＳＶＰ（帯域予約プロトコル）の予約メッセージを生成し、ノード１０２が、予約メッセージの中に対応するＲＳＶＰパスメッセージの内容を含めるように構成されてもよく、このようにすれば、ＲＳＶＰ−ＴＥがシグナリングプロトコルとして利用されている伝送システム２００のネットワークにおいても、パス管理情報を回復させることができる。
【００７７】
一方、入口エッジノード１０１に設けられた第１送受信部３０は、パス設定要求に対して、複数のノード１０１〜１０７のうちの下流側に設けられたノード１０２において割り当てられた一般化されたラベル情報を含むパス設定応答と、ノード１０２において初期化が検出される前に保持されたパス設定要求メッセージとをノード１０２から受信するものである。ここで、パス設定応答は、ノード１０２内の保持部（図示省略）に保持されることが好ましい。従って、この第１送受信部３０により、パスの入口エッジノード１０１は、シグナリングプロトコル処理部１１の初期化をした場合においても、パス管理情報を回復できる。
【００７８】
（２−３）制御部１０
次に、図３に示す制御部１０は、パス管理情報テーブル１２を有するシグナリングプロトコル処理部１１をそなえて構成されている。シグナリングプロトコル処理部１１は、パス管理情報に基づいてシグナリングプロトコルに規定されたメッセージの送受信を外部の隣接ノードと行なう機能と、同プロトコルの処理手順を実行するための信号を内部の伝送部２０と通信する機能とを有する。例えば、入口エッジノード１０２が初期化状態において特定のメッセージ又は信号を受信すると、パケット通信装置の状態を別個の状態にトランジション（遷移）させたり、正常通信状態において障害発生を通知するメッセージを受信すると障害復旧中の状態にトランジションさせたり、又は、障害復旧の状態において復旧完了のメッセージ又は信号を受信すると再度正常通信状態にトランジションさせるなどの処理をする。
【００７９】
（２−４）パス管理情報テーブル１２
パス管理情報テーブル１２は、Ｎ（Ｎは２以上の自然数を表す。）個のパスのそれぞれについてのパス管理情報を保持するメモリであり、シグナリングプロトコル処理部１１がこのパス管理情報を読み出して処理することによって、パス管理機能が発揮される。また、入口エッジノード１０１は、隣接ノードのシグナリングプロトコル処理部１１と通信しながらこのパス管理情報を更新するようにもなっている。
【００８０】
このパス管理機能をＲＳＶＰ−ＴＥプロトコルにより発揮させるべく、パス管理情報テーブル１２は、パス状態情報および予約状態情報を有し、また、Ｎ個のパスのそれぞれに対応して、Ｎ個の領域（１）〜（Ｎ）が設けられている。
ここで、パス状態情報とは、パスの入口エッジノード１０１が、下流側の通信装置に送信するパスメッセージ（例えば図２４参照）を生成するために必要な情報である。一方、パスの入口以外の装置は、パス管理情報に加えて上流側のノードからのパスメッセージの情報をも保持しており、上流側ノードに返す予約メッセージ（例えば図２５参照）を生成するためにも利用される。また、入口エッジノード１０１以外のノードが保持するパス状態情報は、上流側のノードからのパスメッセージによって、リフレッシュされるようになっている。
【００８１】
一方、予約状態情報は、ラベルパスおよびパス識別子のために下流側ノードから割り当てられた一般化されたラベル情報を含むパス設定応答などを含み、また、パスの下流側ノードからの応答メッセージによってリフレッシュされるものである。
なお、ラベルとは、自ノードと隣接ノードとの間において、特定パスに対して利用することを両ノードが合意した識別子であり、対応する隣接ノード間でユニークである必要がある。パス識別子とは、ネットワークにおいて、パスを唯一に識別するためのものであり、ネットワークにてユニークでなければならない。
【００８２】
これにより、パス状態情報と予約状態情報とからフォワーディングテーブルのエントリが生成され、フォワーディングプロセス処理部が、フォワーディングテーブルの内容に従って、データのスイッチングおよびフォワーディングが行なわれるのである。
また、このパス管理情報が保持されている間は、入口エッジノード１０１は、隣接ノード１０２に対して、再開時刻および回復時刻の２種類のパラメータを含むＨｅｌｌｏメッセージを送信するようになっている。ここで、再開時刻は初期化によりＨｅｌｌｏメッセージが途切れると思われる時間を示している。これにより、隣接ノードは、パス管理情報テーブル１２に保持されたパスメッセージおよび応答メッセージによるリフレッシュが停止しても、これらのパラメータにより指定された間は、パス管理情報とこれに対応するフォワーディングテーブルのエントリとを保持する。
【００８３】
さらに、回復時刻は、この回復時刻によって示される時間内に現在設定されている全てのパスに対するパス管理情報のリフレッシュを隣接ノード１０２からノード１０１に対して返すように要求するためのものである。この回復時刻は通常運用時には０に設定されている。
次に、パス管理情報として最低限含まれる要素は、シグナリングプロトコル処理部１１がそれぞれのパスを識別するためのパス識別子およびこのパス識別子に対応する複数のフォワーディングテーブルのエントリへのポインタである。
【００８４】
このエントリは、入力ラベルと、この入力ラベルに対応する出力インターフェースおよび出力ラベルとの組を示している。
また、フォワーディングテーブルエントリへのポインタは、フォワーディングテーブルの位置およびフォワーディングテーブルに保持されたその対応するエントリの位置を示す情報であって、入力インターフェース（ノードがパスの終点ではない場合）、入力ラベル（ノードがパスの始点ではない場合）、出力インターフェース（ノードがパスの終点でない場合）、出力ラベル（ノードがパスの終点ではない場合）などの情報から生成される。
【００８５】
そして、シグナリングプロトコル処理部１１が例えばパス１に沿って転送されるパスについて処理するに当たり、まず、パス管理情報テーブル１２の領域（１）を見て、エントリが後述する入力インターフェース２１ａに設けられていることを知る。同様に、シグナリングプロトコル処理部１１は、パス２についても入力インターフェース２１ａのエントリにアクセスすることを知るのである。従って、シグナリングプロトコル処理部１１は、Ｎ個のパスの全てについてエントリを得ることができる。
【００８６】
また、パス管理情報は、シグナリンクプロトコル処理部１１によって管理されているので、その要素は、パスの入力ラベル値，パスの出力ラベル値，パスのプライオリティ，要求帯域および要求経路に関する情報などを含めることもできる。これらの情報が含められるか否かは、適用されるシグナリングプロトコル又はネットワークの管理方針などに依存する。さらに、これらのパスのプライオリティ、帯域、経路などがパス設定時にネットワーク管理者又はネットワーク管理システムによって指定されたものである場合は、これらの情報はパス要求メッセージによってネットワーク内のパスに沿った全てのノードに対して通知される。なお、Ｎ個の領域を確保するために複数のメモリテーブルを用いることもできる。
【００８７】
従って、制御部１０は制御ネットワークを通じて他のノードの制御部１０とメッセージを交換してパスを操作できる。制御部１０の第１送受信部３０において受信されたパケット信号は、制御部１０のシグナリングプロトコル処理部１１においてシグナリンクプロトコル処理される。そして、この制御部１０と第１送受信部３０とが協働することによって、第１送受信部３０にて受信されたリソース情報と隣接ノード１０２にて折り返されたパス設定要求とに基づいてパス管理情報を回復する回復処理部（１０，３０）として機能している。また、これにより、パスの上流側ノードからシグナリングメッセージを送信してもらわずに入口エッジノード１０１は、パス管理情報を回復できる。
【００８８】
（２−５）パス管理情報が回復できる理由
設定されているパスの始点に設けられた始点ノードにおけるパス状態情報は、下流側に対してパスメッセージを送信するために必要な情報のみである。そして、その必要最小限の情報は、始点ノードが直前に下流側に対して送信したパスメッセージを、下流側ノードから返されることによって回復できる。また、始点ノードにおける予約状態情報は、始点ノードが下流側ノードから受信したメッセージに含まれる予約メッセージによって通知される情報のみである。従って、始点ノードの予約状態情報は、下流側ノードに予約メッセージを送信させることにより回復されるのである。
【００８９】
（２−６）パケットフォーマット
なお、伝送部２０および伝送ライン９ｂを伝送されるパケットレイヤ信号のフォーマットは、例えば図５に示すように、フィールドには、下流側ノードのシグナリングプロトコル処理部１１によって割り当てられたラベルの値そのものが書き込まれる。
【００９０】
さらに、フォワーディングテーブルのエントリとパス識別子とが対として保持されるので、シグナリングプロトコル処理部１１は、特定のパスに対して削除又は変更などを操作するように伝送部２０に対して指示できる。そして、伝送部２０は、出力インターフェースおよび出力ラベル値を決定し、パケットスイッチ２２を介してパケットを出力インターフェースに出力し、次ホップノードに送信するのである。
【００９１】
従って、本発明のパス管理情報回復方法は、シグナリングプロトコルを用いてパスを設定してデータ通信する複数のノード１０１〜１０７をそなえた伝送システム２００において、複数のノード１０１〜１０７のうちの上流側に設けられた入口エッジノード１０１と下流側に設けられたノード１０２とからなる一対のノード１０１，１０２における、パス管理情報回復方法である。まず、複数のノード１０１〜１０７のうちの入口エッジノード１０１が、複数のノード１０１〜１０７のうちの下流側に設けられたノード１０２に対して、パス設定要求を送信し、入口エッジノード１０１が、パス設定要求に基づいてノード１０２において割り当てられた一般化されたラベル情報を含むパス設定応答と、ノード１０２において初期化が検出される前に保持されたパス設定要求とをノード１０２から受信し、入口エッジノード１０１が保持するパス管理情報を元にパス設定要求メッセージを送信する。
【００９２】
そして、入口エッジノード１０１が、パス設定要求メッセージに基づいて、ノード１０２において割り当てられた一般化されたラベル情報を含むパス設定応答と、ノード１０２において初期化が検出される前に保持されたパス設定要求メッセージの内容と同一の情報とをノード１０２から受信し、入口エッジノード１０１がパス設定応答と送り返されたパス設定要求メッセージとに基づいてパス管理情報を回復するのである。従って、障害が発生した後に迅速な復旧が可能となる。
【００９３】
さらに、本発明のパス管理情報回復方法は、複数のノード１０１〜１０７のうちの下流側に設けられたノード１０２が、複数のノード１０１〜１０７のうちの入口エッジノード１０１からのパス設定要求を受信し、ノード１０２が、パス設定要求に基づいてパスについて割り当てられた一般化されたラベル情報を含むパス設定応答を保持し、ノード１０２が、入口エッジノード１０１の初期化を検出し、ノード１０２が、割り当てられた一般化されたラベル情報を含むパス設定応答と、受信パス設定要求保持部２７に保持されたパス設定要求とを入口エッジノード１０１に対して送信し、入口エッジノード１０１が、パス管理情報を回復する。従って、顧客に対して安定なネットワークを提供できる。
【００９４】
（３）初期化
次に、初期化について説明する。
パケット通信装置は、フォワーディングプロセスを中断せずに、シグナリングプロトコル処理部１１のみを初期化する必要がある。この理由は、主に、制御部分のハードウェアの故障修理又は保守のための交換と、シグナリングプロトコル処理機能を発揮するプログラムのバージョンアップとに基づく。そして、隣接ノードは、予めＨｅｌｌｏメッセージによってパス管理情報を保持する時間を広告されており（図２６（ａ）参照）、初期化によりリフレッシュが中断してもパス管理情報をＸミリ秒間だけ保持する。なお、ＲＳＶＰ−ＴＥプロトコルの初期化において、各ノード１０１〜１０７においてフォワーディングプロセスは中断されず、パス管理情報が回復されるので、パスは削除されないのである。
【００９５】
次に、伝送部２０は、Ｎ１個の隣接ノードのそれぞれからのパケットを受信するＮ１個の入力インターフェース２１ａ〜２１ｃと、Ｎ１個の入力インターフェースからのパケットにラベルを付け替えてそのパケットをＮ２個の隣接ノードの方路にスイッチするパケットスイッチ２２と、パケットスイッチ２２からのパケットをＮ２個の隣接ノードに出力するＮ２個の出力インターフェース２３ａ〜２３ｃとをそなえて構成されている。なお、図３，図４において上述した符号と同一符号を有するものは同一のものを表す。
【００９６】
ここで、Ｎ１個の入力インターフェースは、いずれも、フォワーディングテーブルを有し、エントリの書き込みおよび消去が可能となっており、パス管理テーブル側と１対１に対応している。一例として、フォワーディングテーブル２１ａは２個のパスについて書き込みされる一方、フォワーディングテーブル２１ｃはエントリが消去されている。
【００９７】
また、パケットスイッチ２２に設けられたＦＥＣフィルタ部２８は、後述する第３の伝送態様において、説明する。
なお、入口エッジノード１０１および他の隣接ノードはいずれも、上流側ノードが有する機能とノード１０２が有する機能との両方を設けるようにもできる。すなわち、入口エッジノード１０１および他の隣接ノードは、いずれも、受信パス設定要求保持部２７と、パス設定要求を複数のノード１０１〜１０７のうちの下流側に設けられたノード１０２に送信する第１送受信部３０と、第１送受信部３０から送信されたパス設定要求に基づいてノード１０２において割り当てられた一般化されたラベル情報を含むパス設定応答と、ノード１０２において初期化が検出される前に保持されたパス設定要求とをノード１０２から受信する第１送受信部３０と、第１送受信部３０にて受信されたリソース情報と、折り返されたパス設定要求とに基づいてパス管理情報を回復する回復処理部（１０，３０）とをそなえるとともに、パスについて上流側に設けられた入口エッジノード１０１からのパス設定要求を受信する第２送受信部２５と、第２送受信部２５が受信した入口エッジノード１０１からの初期化前に受信したパス設定要求を保持するパス管理情報テーブル１２と、第２送受信部２５にて受信されたパス管理情報に基づいてパスについて割り当てられた一般化されたラベル情報を含むパス設定応答を保持する受信パス設定要求保持部２７と、第２送受信部２５の状態に基づいて入口エッジノード１０１の初期化を検出する検出部２６と、検出部２６の検出に基づいて受信パス設定要求保持部２７に保持されたパス設定要求メッセージを、これに対応するパス設定応答メッセージとともに、入口エッジノード１０１に対して送信する第２送受信部２５とをそなえて構成されてもよい。これにより、各ノードは、下流側ノードおよび上流側ノードのいずれとしても機能できるので、より自由にパスを設定できる。
【００９８】
また、図２に示すノード１０２〜１０７のそれぞれも、ノード１０１の制御部１０，伝送部２０と同一の制御部１０，伝送部２０をそなえて構成されており、これらについての重複した説明を省略する。
このように、シグナリングプロトコルを用いてパスを設定してデータ通信する複数のノード１０１〜１０７をそなえた伝送システム２００において、前記一対のノード１０１，１０２のうちの上流側の入口エッジノード１０１が、初期化前に受信したパス設定要求を保持する受信パス設定要求保持部２７と、パス設定要求を複数のノード１０１〜１０７のうちの下流側に設けられたノード１０２に送信する第１送受信部３０と、第１送受信部３０から送信されたパス設定要求に基づいてノード１０２において割り当てられた一般化されたラベル情報を含むパス設定応答と、ノード１０２において初期化が検出される前に保持されたパス設定要求の内容と同一のパス設定要求をノード１０２から受信する第１送受信部３０と、第１送受信部３０にて受信されたリソース情報と、折り返されたパス設定要求とに基づいてパス管理情報を回復する回復処理部（１０，３０）とをそなえるとともに、下流側のノード１０２が、パスについて入口エッジノード１０１からのパス設定要求を受信する第２送受信部２５と、第２送受信部２５が受信した入口エッジノード１０１からの初期化前に受信したパス設定要求メッセージを保持する受信パス設定要求保持部２７と、第２送受信部２５の状態に基づいて入口エッジノード１０１の初期化を検出する検出部２６と、検出部２６の検出に基づいて受信パス設定要求保持部２７に保持されたパス設定要求メッセージをこれに対応するパス設定応答メッセージとともに、入口エッジノード１０１に対して送信する第２送受信部２５とをそなえて構成されたことになる。
【００９９】
これにより、シグナリングプロトコル処理部１１がリブートしたときに、パス管理情報を復旧できるので、ネットワークに対する信頼性を向上させることができる。
（４）正常時の動作説明
そして、正常時には、各ノード１０１〜１０７の制御部１０は，制御ライン９ａを介して隣接ノードと制御情報を送受信し、シグナリングプロトコルを処理し、適切に伝送部２０を制御する。また、各ノード１０１〜１０７の伝送部２０は、ラベルを参照して、そのラベルに付与されたパケットの転送経路によって特定されたノードに対してラベルを付け替えて次ホップノードに対してそのパケットを転送する。
【０１００】
これにより、入口エッジノード１０１は、多数のパケットを受信すると、各パケットに含まれるラベルが示すノードに転送し、また、その転送されたノードは、パケットのラベルに基づいて次ホップノードに転送し、各パケットがラベルに基づいて中継されて、出口エッジノード１０７に転送される。
このようにして、ＲＳＶＰ−ＴＥネットワーク１００に属する各ノード１０１〜１０７がパス管理情報を回復させ、適切なパケット転送が可能となる。
【０１０１】
そして、このようにして、従来のプロトコルを適用でき、かつパケットを効率よく転送できる。
また、パスなどが設定された状態において障害の発生などによりノードが初期化したときに、初期化前にもっていたパスの管理情報を回復させることができ、パス管理情報の削除を防止することが可能となる。これにより、障害が発生した場合において、データの送受信を中止せずにネットワークの運用を確保できる。
【０１０２】
以下、５種類の伝送態様について順に説明する。
（Ａ１）第１の伝送態様の説明
図６（ａ）〜図６（ｃ）はそれぞれ本発明の第１実施形態に係る第１の伝送態様を示す図であり、左側の入口エッジノード１０１と、右側のノード１０２とのそれぞれのパス管理情報およびフォワーディングテーブルが表示されている。なお、パス状態（Ｐａｔｈ状態）および予約状態（Ｒｅｓｖ状態）は、ＲＳＶＰ−ＴＥおよびこれを拡張したシグナリングプロトコルに特化して表示しており、以下、同様である。
【０１０３】
この図６（ａ）は初期化前の通常運用時の最初の状態を示しており、Ｈｅｌｌｏメッセージが伝送され、次に示すようにパスが設定されているものとする。すなわち、入口エッジノード１０１がパス設定要求メッセージを送信し、ノード１０２がこのパス設定要求メッセージに対する応答メッセージを返し、これにより、入口エッジノード１０１のＩＦ＃２からラベルＬ３とともに出力された情報が、ノード１０２にてラベルＬ４に付け替えられて、ＩＦ＃２から出力されている。
【０１０４】
また、ノード１０１、１０２のシグナリングプロトコル処理部１１は、いずれも、このパス識別子のほかに、パス要求メッセージおよび応答メッセージに含まれるパスに関するパス管理情報を有する。
図６（ｂ）は入口エッジノード１０１が初期化している状態を示しており、Ｈｅｌｌｏメッセージが停止している。この図６（ｂ）に示す入口エッジノード１０１は、初期化によりパス管理情報を失う。この間、ノード１０２は、パス管理情報および対応するフォワーディングテーブルのエントリを保持しているものとする。また、これらの情報を保持するための手順としては、例えばＲＳＶＰ　Ｇｒａｃｅｆｕｌ　Ｒｅｃｏｖｅｒｙの再開時刻のようなパラメータを用いて、予め保持すべき時間を指定しておく方法などがある。
【０１０５】
図６（ｃ）はノード１０２から入口エッジノード１０１に対してパス要求メッセージを送信している状態を示し、具体的には、ノード１０２が入口エッジノード１０１の初期化が完了したことを所望の方法で検出し、このパスに対して初期化以前に入口エッジノード１０１が送信したパス要求に対する応答メッセージを入口エッジノード１０１に送信し、これとともに、保持されていた直前に受信したパス要求メッセージを入口エッジノード１０１に返している。ここで、初期化が完了したことを検出する方法は、例えばＲＳＶＰ　Ｈｅｌｌｏメッセージを用いた方法である。
【０１０６】
本発明のパス管理情報回復方法は、伝送システム２００がパス設定応答の予約機能およびラベル付与機能を有するＲＳＶＰ−ＴＥ（拡張帯域予約プロトコル）を用いるとともに、ノード１０２が、入口エッジノード１０１から受信したパスメッセージを保持し、ノード１０２が、入口エッジノード１０１の初期化を検出し、ノード１０２が、入口エッジノード１０１に対して、入口エッジノード１０１からのパスメッセージのうちの直前に送信されたパスメッセージを送信し、ノード１０２が、パスメッセージに基づいて生成した一般化されたラベル情報を含む応答メッセージを入口エッジノード１０１に対して送信し、入口エッジノード１０１が、応答メッセージに含まれる一般化されたラベル情報を含むパス設定応答に基づいて、パス管理情報を回復するようになっているのである。
【０１０７】
また、本発明のパス管理情報回復方法は、前記入口エッジノード１０１が、ノード１０２に対して、パス設定要求を送信し、ノード１０２が、入口エッジノード１０１の初期化を検出し、入口エッジノード１０１が、ノード１０２において確保されたパス管理情報に基づく一般化されたラベル情報を含むパス設定応答と初期化が検出される前に保持されたパス設定要求とに基づいて、パス管理情報を回復するようになっている。これにより、信頼性の高い伝送を実現できる。
【０１０８】
このように、入口エッジノード１０１は、受信されたパス要求メッセージおよびこれに対する応答メッセージにより、パス識別子と出力ラベルとの対応を知ることができ、このパスを要求した際に指定したパスの属性を知ることができる。
（Ａ２）第２の伝送態様の説明
図７（ａ）〜図７（ｄ）はそれぞれ本発明の第１実施形態に係る第２の伝送態様を示す図であり、これらに表示されているもので、上述したものと同一符号を有するものは同一のもの又は同様の機能を有する。
【０１０９】
図７（ａ）は初期化前の通常運用時の様子を示している。また、最初の状態において左側の通信装置のＩＦ＃２からラベルＬ３とともに出力された情報が右側の通信装置でラベルＬ４に付け替えられてＩＦ＃２から出力されるようなパスが設定されていると仮定する。シグナリングプロトコル処理部１１はこのパスに関するパス管理情報を有する。
【０１１０】
図７（ｂ）は左側の通信装置が初期化している状態を示す図である。初期化しているので、左側の通信装置においてパス管理情報が失われており、隣接ノードに対するＨｅｌｌｏメッセージも送信されていない。この間、右側の通信装置はパス管理情報および対応するフォワーディングテーブルのエントリを保持しているとする。これらの情報を保持するための手順としては、例えばＲＳＶＰ　Ｇｒａｃｅｆｕｌ　Ｒｅｃｏｖｅｒｙの再開時刻のようなパラメータを用いて、予め保持すべき時間を指定しておく方法などがある。
【０１１１】
図７（ｃ）は左側の通信装置の初期化が完了したことを何らかの方法で右側の通信装置が検出し、パスに対する応答メッセージを左側の通信装置に送信するととともに保持されていた直前に受信したパスメッセージを左側の通信装置に送り返していることを示している。初期化が完了したことを検出する手段としては、例えばＲＳＶＰ　Ｈｅｌｌｏメッセージを用いることが考えられる。受信された応答メッセージにより、左側の通信装置はパス識別子と出力ラベルとの対応を知ることおよびこのパスに対するＲｅｓｖ状態を回復することができ、さらに、送り返されたパスメッセージによりこのパスに対して右側の通信装置に送信すべきパスメッセージの内容を知ることができる。パス状態情報は、パスの入口エッジノード１０１においては下流側の通信装置に対するパスメッセージを生成するための情報であったので、送り返されてきたパスメッセージによって左側の通信装置のパス状態情報を復旧することができる。この復旧されたパス状態情報に基づいて、左側の通信装置は右側の通信装置に対してパスメッセージを送信することができ、これにより右側の通信装置のパス状態情報がリフレッシュされ、通常のＲＳＶＰの手順に戻ることができる。
【０１１２】
以上のように、パスの入口エッジノード１０１が初期化された場合においてパス管理情報を正しく回復させることができる。なお、図７（ｄ）については、後述する。
（Ａ３）第３の伝送態様の説明
第３の伝送態様は、ＦＥＣ（転送等価クラス）情報を用いた転送方法である。ＦＥＣ情報とは、ＲＳＶＰ−ＴＥプロトコルを適用されたネットワークにおいて、同一経路に沿って転送させるための識別情報であって、ＬＳＰ（ラベル交換パス）を用いて伝送されるべきパケットの集合を一つのクラスとして扱われる。なお、ＦＥＣ情報についての詳細は、ＲＦＣ３０３１，ＲＦＣ３０３６に規定されている。
【０１１３】
ＬＳＰを用いて伝送されるパケットがＩＰパケットである場合、ＦＥＣは、例えば宛先ＩＰアドレスの範囲および送信元ＩＰアドレスの範囲などによって定義される。この場合、ＬＳＰの入口ルータは、そのＦＥＣに適合するＩＰパケットを選択し、このＩＰパケットに対応するＬＳＰを用いて伝送される。これにより、同一ラベルのパケットは、同一の次ホップルータに転送され、ネットワークを同一経路で転送される。
【０１１４】
このため、伝送システム２００の入口エッジノード１０１は、外部ＩＰネットワークから入力されるパケットに対してＦＥＣ情報を元にパケットをフィルタリングするＦＥＣフィルタ部２８を有する。なお、ＦＥＣフィルタ部２８は、伝送信号からＦＥＣ情報に適合するものを抽出できるようになっており、また、他のノード１０２〜１０７に設けることもできる。
【０１１５】
さらに、ノード１０１は、パス設定要求メッセージにＦＥＣ情報を予め含めるようになっている。ノード１０２は、パス設定要求メッセージを保持し、ノード１０１が初期化した後においてこのいパス設定要求メッセージを送り返すことによって、ＦＥＣ情報をノード１０１に送り返すのである。
具体的には、ノード１０１が、パスのクライアントレイヤがＩＰレイヤである場合に、パス要求メッセージ又はパスメッセージに予めＦＥＣ情報を含め、ノード１０２がパスの上流側ノード（例えば入口エッジノード１０１）のシグナリングプロトコル処理部１１が初期化したことを検出し、そして、その検出の直前に受信したパス要求メッセージ又はパスメッセージを入口エッジノード１０１に対して返す。これにより、パスの入口エッジノード１０１においてＦＥＣ情報を確認できる。
【０１１６】
図８（ａ）は本発明の第１実施形態に係るクライアントレイヤの概念図である。この図８（ａ）にはＩＰの経路と、ＩＰの経路の一部区間において設定されたＲＳＶＰ−ＴＥパスとが表示されている。このＩＰパスは、特定ＩＰアドレス宛のパケットの転送経路を表すものである。ここで、入口エッジノード１０１は、パケットを受信すると、そのパケットにラベルフィールドを付け加え、ＲＳＶＰ−ＴＥネットワーク１００の中で伝送可能なパケットを生成するのである。従って、入口エッジノード１０１の伝送部２０において処理可能な信号の種類は、ＭＰＬＳのラベル付きパケットと、そのラベル付きパケットの上にて伝送されるＩＰパケットとの２種類である。
【０１１７】
換言すれば、ＲＳＶＰ−ＴＥネットワーク１００において転送可能なパケットは、ＩＰアドレスにラベル値を含むラベルフィールドを付加したラベル付きパケットである。従って、パスのクライアントレイヤがＩＰプロトコルの場合に相当する。ここで、パスのクライアントレイヤとは、パスが転送サービスを提供するレイヤを表す。
【０１１８】
図８（ｂ）は本発明第１実施形態に係るフォワーディングテーブルの他の例を示す図である。この図８（ｂ）に示すフォワーディングテーブルは、パス管理情報テーブル１２と関連付けられ、ＦＥＣ情報と出力インターフェース（例えば＃２）および出力ラベル（例えばＬ３）のそれぞれとを関連付けて保持するもの（例えばメモリ）である。
【０１１９】
これにより、ＩＰネットワーク５００，５０１は、伝送システム２００を介してパケットを透過的に伝送できる。
また、これにより、各ノード１０１〜１０７は、制御ライン９ａを介して、パス要求メッセージ又はパスメッセージに、予めＦＥＣ情報を挿入する。そして、ノード１０２が、入口エッジノード１０１のシグナリングプロトコル処理部１１の初期化を検出すると、ノード１０２が直前に入口エッジノード１０１から受信したパス要求メッセージ又はパスメッセージを返すのである。
【０１２０】
従って、障害が発生した後に障害が回復したときは、入口エッジノード１０１は、ＩＰネットワーク５００，５０１から入力されたパケットについて、回復したＦＥＣ情報を入力パケットに対して利用することができる。
従来の入口エッジノード１０１は、シグナリングプロトコル処理部１１が初期化されたときは、伝送部２０の中に保持されているＦＥＣ情報を元にパケットの伝送を続けていた。しかし、小規模な入口エッジノードにおいては、伝送部２０とシグナリングプロトコル処理部１１とが同一のＣＰＵなどのハードウェアを用いて実現されていることがあり、この場合には、伝送部２０の中にＦＥＣ情報が残らないことが予想される。従来の方法では、このような場合に、パスのクライアントレイヤに対して転送サービスを提供し続けることができなかった。
【０１２１】
これに対して、本発明の入口エッジノード１０１は、初期化後にＦＥＣ情報をシグナリングプロトコル処理部１１を用いて回復させることができるので、初期化後においてもすぐにクライアントレイヤに対して転送サービスを提供することができる。
これにより、クライアントレイヤに対してサービスを提供できる回数が向上し、より信頼性の高いサービスを提供できる。
【０１２２】
以下、第３の伝送態様における動作を説明する。
図９（ａ）〜図９（ｄ）はそれぞれ本発明の第１実施形態に係る第３の伝送態様を示す図である。これらに表示されているもので、上述したものと同一符号を有するものは同一のもの又は同様の機能を有する。
図９（ａ）は初期化前の通常運用時の状態を示している。この状態において、左側の通信装置のＩＦ＃２からラベルＬ３とともに出力された情報が右側の通信装置でラベルＬ４に付け替えられてＩＦ＃２から出力されるようなパスが設定されていると仮定する。そして、シグナリングプロトコル処理部１１はこのパスに関するパス管理情報を有する。
【０１２３】
これにより、入口のエッジノード１０１がパケットを受信すると、パケットにラベルを付加して、次ホップノードに転送し、次ホップノードはパケットについているラベルを見て、どのノードに転送すべきかを判断し、適切な転送先にパケットを転送する。また、ＩＰネットワーク５０１への出口エッジノード１０７は、受信したパケットからラベルを取り除き、外部のノードへ転送する。
【０１２４】
図９（ｂ）に示す左側の通信装置は初期化中である。初期化しているので、左側の通信装置においてパス管理情報が失われ、隣接ノードに対するＨｅｌｌｏメッセージも送信されていない。この初期化の間、右側の通信装置はパス管理情報および対応するフォワーディングテーブルのエントリを保持しているとする。これらの情報を保持する方法は、例えばＲＳＶＰ　Ｇｒａｃｅｆｕｌ　Ｒｅｃｏｖｅｒｙの再開時刻などのパラメータを用いて、予め保持すべき時間を指定しておく。
【０１２５】
図９（ｃ）において、右側の通信装置は、左側の通信装置の初期化が完了したことをタイマなどにより検出し、パスに対する応答メッセージを左側の通信装置に送信する。これととともに、右側の通信装置は、保持されていた直前に受信したパスメッセージを左側の通信装置に送り返している。
すなわち、本発明のパス管理情報回復方法は、まず、入口エッジノード１０１がパス管理情報にＦＥＣ情報を挿入して、ノード１０２がそのＦＥＣ情報を保持する。そして、ノード１０２が入口エッジノード１０１の初期化を検出すると、入口エッジノード１０１から受信したパス管理情報を入口エッジノード１０１に返すのである。
【０１２６】
この初期化が完了したことを検出する手段としては、例えばＨｅｌｌｏメッセージを用いることができる。受信された応答メッセージにより、左側の通信装置はパス識別子および出力ラベルの対応と、このパスに対する予約状態情報を回復することができ、さらに、送り返されたパスメッセージにより、このパスに対して右側の通信装置に送信すべきパスメッセージの内容を知ることができる。
【０１２７】
また、パス状態情報はパスの入口エッジノード１０１においては下流側の通信装置に対するパスメッセージを生成するための情報なので、パス状態状態は送り返されてきたパスメッセージによって左側の通信装置のパス状態情報を復旧させることができる。
また、このパスメッセージはＦＥＣ情報を含む。このため、入口エッジノード１０１は、このパスメッセージのＦＥＣ情報と、ＩＰレイヤ処理よりも上位のトランスポートレイヤ処理部（トランスポートプレーン）のＦＥＣ情報とを照合することにより、トランスポートレイヤが把握しているＦＥＣ情報の正当性を確認できる。
【０１２８】
さらに、復旧されたパス状態情報に基づいて、左側の通信装置は右側の通信装置に対してパスメッセージを送信でき、これにより、右側の通信装置のパス状態情報がリフレッシュされ、通常のＲＳＶＰプロトコルの手順に戻ることができる。
このように、パスの入口エッジノード１０１が初期化された場合において、パス管理情報を正しく回復させることができる。
【０１２９】
このようにして、ＩＰネットワーク５００，５０１と他のネットワークとの間において、パケットを透過的にかつ高速に伝送できる。
（Ａ４）第４の伝送態様の説明
前記（Ａ１），（Ａ２）の伝送態様において、ノード１０２が、ノード自身に記憶していたパスメッセージの内容を、上流側ノードに対して送信するときに、対応する予約メッセージに含まれるオブジェクトに、このパスメッセージの内容を含めて返すようにもできる。
【０１３０】
図７（ｄ）は初期化後の状態を示す図であって、ノード１０２は、上流側ノードからノード１０２に対して送信したメッセージを保持する。そして、初期化後にノード１０２は、上流側ノードに対してその保持したメッセージを送信し、上流側ノードは、その折り返されたメッセージに基づいてパス状態情報を回復し、その回復したパス状態情報を元にして、ノード１０２に対してパスを送信するようになっている。一方、ノード１０２は、送信されたパスメッセージを受信すると、そのパスメッセージによりパス状態情報をリフレッシュするのである。このパスメッセージについて、図１０（ａ），（ｂ）を用いて詳述する。
【０１３１】
図１０（ａ），（ｂ）はいずれも本発明の第１実施形態に係る拡張応答メッセージ例を説明するための図である。図７（ｄ）に示す予約メッセージ（ｒｅｓｖと表示したもの）の内容が、この図１０（ａ）に示すメッセージフォーマットに相当し、また、上流側ノード（図７（ｄ）参照）にて保持されていたパスメッセージの内容を返すための回復＿パスオブジェクト＜ＲＥＣＯＶＥＲ＿ＰＡＴＨ＞が新たに含まれている。この回復＿パスオブジェクト＜ＲＥＣＯＶＥＲ＿ＰＡＴＨ＞のフォーマット例を図１０（ｂ）に示す。この図１０（ｂ）に示すオブジェクトには、直前に受信したパスメッセージに含まれていた全てのオブジェクトがこの回復＿パスオブジェクトに含まれる。
【０１３２】
図１１は本発明の第１実施形態に係る回復パスメッセージの一例を示す図であって、新規なメッセージフォーマットが表示されている。そして、その新規メッセージに、直前に受信したパスメッセージの内容を含めて、ノード間にて送り返すようになってきている。このメッセージは、直前に受信したパスメッセージの全てのオブジェクトを含む。
【０１３３】
従来の技術は、パスの上流側通信装置からシグナリングメッセージを受信することにより、パス管理情報を回復させるものであった。これに対して、本発明の通信装置は、パスの下流側通信装置が直前に受信したシグナリングメッセージを送り返すことにより、パス管理情報を回復するようにしている。
このように、シグナリングプロトコル処理部１１を初期化した装置のパス管理情報を回復させるために、パスの上流側ノードからシグナリングメッセージを送信せずにパス管理情報を回復できる。
【０１３４】
従って、パスの入口エッジノード１０１において、シグナリングプロトコル処理部１１の初期化をした場合においても、パス管理情報を回復できる。
そして、このようにして、パスなどが設定された状態において障害の発生などによりノードが初期化したときに、初期化前にもっていたパスを回復させることができ、パス管理情報の削除を防止することが可能となる。
【０１３５】
（Ａ５）第５の伝送態様の説明
物理レイヤとして、光パスが混在したネットワークにおける伝送態様を説明する。図１２（ａ），（ｂ）および図１３（ａ），（ｂ）はいずれも本発明の第１実施形態に係る第５の伝送態様を示す図である。
これらに示す伝送系は、エッジノード（Ｐａｃｋｅｔ　ＳＷ＃１）１０１，ノード１０３（Ｐａｃｋｅｔ　ＳＷ＃２），１０５（Ｐａｃｋｅｔ　ＳＷ＃３）の間に、光通信装置（Ｏｐｔｉｃａｌ　ＳＷ）２１０が接続されている。そして、これらの間は、制御ライン９ａと伝送ライン９ｂとを介して接続されている。
【０１３６】
これらの図１２（ａ），（ｂ）において、パケットスイッチ＃２とパケットスイッチ＃３との間には光スイッチを通過する光パスが設けられており、パケットパス（点線）は、パケットスイッチ＃２とパケットスイッチ＃３との間においては、この光パス上を通過している。さらに、これらのパケットスイッチ＃２，＃３および光スイッチのフォワーディングテーブルＦＴ１〜ＦＴ５がそれぞれ表示されている（引き出し線で表示されている部分）。
【０１３７】
従って、ノード１０３，１０５は、それぞれ、光パスの処理レイヤと、ラベル付きパケットパス処理レイヤとの２（又は２以上）の複数のレイヤについて、それぞれ独立に障害復旧できるようになっている。このため、ノード１０３およびノード１０５は、いずれも、例えばラベル付きパケットパスに対するパス管理情報と、光パスに対応するパス管理情報とを保持することができる。
【０１３８】
ラベル付きパケットパスおよび光パスは、ともに、ＲＳＶＰ−ＴＥを拡張したＧＭＰＬＳシグナリングプロトコルにより制御されている。
このような構成によって、光パスの両端にパケットノードが設けられた伝送系において、ノード１０３，１０５の各シグナリングプロトコル処理部１１にてパケットデータを伝送するためのパスを設定する。このパスが設定されている状態において、下位レイヤ側パスにあたる光パスの入口のノード１０３のシグナリングプロトコル処理部１１が初期化した時に、下位レイヤ側パスのためのシグナリングプロトコル処理部１１がもつパス管理情報の回復のために前記（Ａ１）にて説明した方法を用いて、その後に上位レイヤのパス管理情報を回復させるのである。以下、詳述する。
【０１３９】
図１２（ａ）は初期化前の通常運用時の様子を示しており、３台のノード１０１〜１０５と、１台の光通信装置２１０との間でパスが設定されている。そして、最初の状態における光パスの内容は、光パスに対するシグナリングにより、パケットスイッチ＃２の出力ＩＦ＃２から波長λ１の光が送信され（ＦＴ１参照）、この光は光スイッチにおいて波長λ２に変換され（ＦＴ２参照）、そして、パケットスイッチ＃３にて受信されている（ＦＴ３参照）。
【０１４０】
また、最初の状態におけるパケットパスの内容は、パケットスイッチ＃１のＩＦ＃２からラベルＬ２とともに出力された制御メッセージ（ＦＴ４参照）は、パケットスイッチ＃２にてラベルＬ３に付け替えられ（ＦＴ５参照）、さらに、その付け替えられたパケットは、パケットスイッチ＃３においてラベルＬ４を付け替えられる（ＦＴ３参照）。
【０１４１】
なお、シグナリングプロトコル処理部１１は、これらのパスに関するパス管理情報を認識しているようになっている。
次に、図１２（ｂ）において、パケットスイッチ＃２のシグナリングプロトコル処理部１１が初期化され、この初期化中により、パケットスイッチ＃２において、パケットレイヤおよび光レイヤ両方のパス管理情報が失われている。
【０１４２】
また、この間、パケットスイッチ＃２以外の他のノードは、パス管理情報とそのパス管理情報に対応するフォワーディングテーブルのエントリを保持しているとする。各ノード１０１〜１０７は、これらのパス管理情報およびエントリを保持するために、例えばＲＳＶＰ　Ｇｒａｃｅｆｕｌ　Ｒｅｃｏｖｅｒｙにより規定される再開時刻のようなパラメータを用いて、予め保持すべき時間を指定しておく方法などを用いるようになっている。
【０１４３】
次に、図１３（ａ）は初期化後の第１の状態を示している。パケットスイッチ＃１および光スイッチは、それぞれ、パケットスイッチ＃２の初期化が完了したことを例えばＲＳＶＰ　Ｈｅｌｌｏメッセージを用いる方法により検出し、光スイッチは、予めパケットスイッチ＃２の初期化前にパケットスイッチ＃２から受信し保持していたパスメッセージの内容を読み出して、その読み出した情報を、光パスに対する応答メッセージに含めることにより、パケットスイッチ＃２に対して送信する。
【０１４４】
これにより、パケットスイッチ＃２は、受信した応答メッセージに基づいて、パス識別子と出力波長との対応を知ることができる。加えて、パケットスイッチ＃２は、このパスに対する予約状態情報を回復でき、さらに、送り返されたパスメッセージにより、このパスに対して右側の光スイッチに対して送信すべきパスメッセージの内容を知ることができる。
【０１４５】
次に、図１３（ｂ）は初期化後の第２の状態を示しており、パケットパスのパス管理情報を復旧させるために、ＲＳＶＰ　Ｇｒａｃｅｆｕｌ　Ｒｅｃｏｖｅｒｙが利用されている。
ここで、パケットスイッチ＃１は、リカバリラベルＬ２を指定して、パケットパスに対するパスメッセージをパケットスイッチ＃２に送信する。このとき、このパケットパスの設定時に指定した内容と同様の内容を有する明示的な経路オブジェクトを含めるようにする。
【０１４６】
パケットスイッチ＃２は、パスメッセージを受信すると、リカバリラベルにより指定されたラベルＬ２を入力ラベルとしてもつフォワーディングテーブルＦＴのエントリを検索し、そのフォワーディングテーブルＦＴから出力ＩＦおよび出力ラベルを得る。
従って、出力ＩＦに波長λ１が指定されているので、パケットスイッチ＃２は、波長パスのパス管理情報を参照し、この波長がパケットスイッチ＃３に向かう光パスに対応するものであることを知る。そして、パケットスイッチ＃２は、光パスの終点であるパケットスイッチ＃３に対して、フォワーディングテーブルＦＴから得た出力ラベルＬ３をリカバリラベルとして指定したパスメッセージを送信する。この後、パケットスイッチ＃２は、対応する応答メッセージが返されることによって、パケットパスに対するパス管理情報が回復される。
【０１４７】
従って、本発明のパス管理情報回復方法は、パケットスイッチ＃１，パケットスイッチ＃２が、それぞれ、パスについて規定される第１のレイヤと異なる第２のレイヤが規定する他のパスを、パスに対して重ねて設定するようになっている。
そして、入口エッジノード１０１およびノード２１０の第２受信処理部２５が、ノード１０２のシグナリングプロトコル処理部１１の初期化を検出し、ノード２１０が、ノード１０２に対して初期化の検出直前に受信した光レイヤのパスに対応するパスメッセージを、それに対応する予約メッセージとともに、送り返し、ノード１０２の第１受信処理部３０およびシグナリングプロトコル処理部１１が、協働して予約メッセージおよび送り返されたパスメッセージを元に下位レイヤパスである光パスのパス管理情報を回復させ、さらに、パケットスイッチ＃１が上位レイヤパスであるラベル付きパケットパスに対応するパスメッセージをパケットスイッチ＃２に送信し、ノード１０２の第１受信処理部３０およびシグナリングプロトコル処理部１１が協働してこのパスメッセージを元にラベル付きパケットレイヤパスに対応するパス管理情報のうちのパス状態情報を回復させる。さらに、パケットスイッチ＃３が上位レイヤパスであるラベル付きパケットパスに対応する予約メッセージをパケットスイッチ＃２に対して送信し、ノード１０２の第１受信処理部３０およびシグナリングプロトコル処理部１１が協働して、この予約メッセージを元にラベル付きパケットレイヤパスに対応するパス管理情報のうちの予約状態情報を回復させる。
【０１４８】
これにより、複数レイヤのパスが階層的に利用されている場合においてもパス管理情報を回復させることができる。
このように、第４の伝送態様においては、上位レイヤのパスが下位レイヤのパスの中を通り抜けるような階層的なパスが設定される。なお、このように階層化されるパスとしては、光パス，後述する第２実施形態のＳＯＮＥＴ／ＳＤＨのパス，ラベル付きパケットのパスなどが用いられる。
【０１４９】
このようにして、複数種類の伝送信号について、障害により初期化が発生してもパス管理情報が復旧でき、信頼性の高い伝送が可能となる。
（Ｂ）本発明の第２実施形態の説明
第２実施形態においては、物理レイヤとして、ＳＯＮＥＴ又はＳＤＨ技術を用いたネットワークにおける伝送態様を説明する。
【０１５０】
（５−１）ＳＯＮＥＴ／ＳＤＨネットワークにおけるパス設定
第１実施形態におけるシグナリングプロトコルは、ＲＳＶＰ−ＴＥであって、ＭＰＬＳをサポートするネットワークにおいてＬＳＰを設定するものである。第２実施形態においては、ＬＳＰを設定するシグナリングプロトコルに対して、ＳＯＮＥＴおよびＳＤＨのパスと、波長パスなどとの設定に利用できるＧＭＰＬＳが用いられる。よく知られているように、ラベル付きパケットのレイヤにおいては、（入力インターフェース，入力ラベル）の対から（出力インターフェース，出力ラベル）の対の関係を確立することにより、パスが設定される。この関係は、ＲＳＶＰ−ＴＥをはじめとするシグナリングプロトコルによって確立される。
【０１５１】
ＳＯＮＥＴおよびＳＤＨのレイヤにおいては、（入力インターフェース，入力タイムスロット位置）の対から（出力インターフェース，出力タイムスロット位置）の対の関係を確立することによって、パスが設定される。そして、タイムスロットを一般化されたラベルと認識することにより、パスを設定する手段として、ＲＳＶＰ−ＴＥのようなＬＳＰを設定するためのシグナリングプロトコルが利用されるのである。これが、ＧＭＰＬＳの基本的な概念である。
【０１５２】
（５−２）ＳＯＮＥＴ／ＳＤＨネットワークの構成
図１４は本発明の第２実施形態に係る伝送システムの構成例を示す図である。この図１４に示す伝送システム２００ａは、シグナリングプロトコルを用いてパスを設定してデータ通信する複数のＳＯＮＥＴ／ＳＤＨ通信装置（通信装置）２０１，２０２ａ，２０２ｂ，２０２ｃ，２０２ｄ，２０２ｅ，２０２ｆ，２０３をそなえたものであり、ラベルパスを設定するためにシグナリングプロトコルを利用するネットワークシステムである。
【０１５３】
この伝送システム２００ａは、前記のＩＰネットワーク５００，５０１とＳＯＮＥＴ／ＳＤＨネットワーク２５０とをそなえて構成されており、また、ＳＯＮＥＴ／ＳＤＨネットワーク２５０は、ＳＯＮＥＴ／ＳＤＨ伝送技術を用いた複数のＳＯＮＥＴ／ＳＤＨ通信装置２０１〜２０３が相互にメッシュ状に接続され、ＩＰネットワーク５００，５０１と接続される部分に、それぞれ、入口エッジノードおよび出口エッジノードとしてのＳＯＮＥＴ／ＳＤＨ通信装置２０１およびＳＯＮＥＴ／ＳＤＨ通信装置２０３を設けている。
【０１５４】
（５−３）ＳＯＮＥＴ／ＳＤＨ通信装置２０１の機能
ＳＯＮＥＴ／ＳＤＨ通信装置２０１は、複数のＳＯＮＥＴ／ＳＤＨ通信装置２０１〜２０３のうちの上流側に設けられたＳＯＮＥＴ／ＳＤＨ通信装置２０１と下流側に設けられたＳＯＮＥＴ／ＳＤＨ通信装置２０３とからなる一対のＳＯＮＥＴ／ＳＤＨ通信装置２０１，２０３のうちの上流側のＳＯＮＥＴ／ＳＤＨ通信装置２０１として機能しており、ＩＰネットワーク５００，５０１に設けられたＩＰルータ５０４との間において信号を送受信している。
【０１５５】
図１５は本発明の第２実施形態に係る転送方法を説明するための図であり、上述したものと同一符号を有するものは同一のものを表す。この図１５に示すＩＰネットワーク５００に設けられたＩＰルータ５０４は、パケットをＳＤＨフレームにマッピングするようなインターフェースが設けられている。このインターフェース例は、光と電気とを相互変換する光／電気変換部５０５である。これにより、光ファイバからなる伝送ライン９ｂを介して信号が送受信されるようになっている。
【０１５６】
（５−４）スイッチング動作
ＳＯＮＥＴおよびＳＤＨは、いずれも、ディジタル信号を多重化して伝送するための技術として、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔ：国際電気通信連合）およびＡＮＳＩにおいて標準化された。これらのＳＯＮＥＴとＳＤＨとは、ともに、標準化された団体が異なるため、例えば多重化構造の基本ビットレート，ポインタの符号化などの一部については仕様が異なるが、ほとんど仕様が同一であり、また、ネットワークの機能および提供可能なサービスもほぼ同一である。なお、ＳＯＮＥＴの詳細は、ＡＮＳＩ　Ｔ１．１０５に規定され、ＳＤＨに関する詳細は、ＩＴＵ−Ｔ　Ｇ．７０７に規定されている。
【０１５７】
ＳＯＮＥＴ／ＳＤＨ通信装置２０１において、スイッチングはフレーム先頭からの相対的な位置（タイムスロットと呼ぶ）に基づいて行なわれる。
図２８はＳＯＮＥＴ装置又はＳＤＨ装置のスイッチング動作を説明するための図である。この図２８に示すフレーム列は、ｉ（ｉは自然数を表す。）番目の入力インターフェース４１ａに入力され、タイムスロットスイッチ４２において、フレーム列に含まれるタイムスロットがスイッチングされ、そのスイッチングされたタイムスロットが、ｊ（ｊは自然数を表す。）番目の出力インターフェース４４ａを介して出力されるようになっている。
【０１５８】
ここで、タイムスロットスイッチ４２は、前記フォワーディングテーブル４２ａ，４３などとほぼ同一のフォワーディングテーブル４２ａを有する。このフォワーディングテーブル４２ａの入力情報は入力インターフェースの番号（入力ＩＦ＃ｊ）およびタイムスロットｘであり、また、出力情報は出力インターフェースの番号（出力ＩＦ＃ｊ）およびタイムスロットｙである。
【０１５９】
従って、ＳＯＮＥＴ／ＳＤＨ通信装置２０１は、タイムスロットを元にスイッチングするので、個々の情報はラベルを付加されない。また、ＳＯＮＥＴ／ＳＤＨ通信装置２０１の伝送部４０は、パケットを単位としてスイッチングを行なわない。このため、たとえＳＯＮＥＴあるいはＳＤＨフレームの中にパケット（パケット化されたデータ）を含めて伝送されたとしても、ＳＯＮＥＴ／ＳＤＨ通信装置２０１は、パケットを認識しない。
【０１６０】
なお、ＳＯＮＥＴ／ＳＤＨ通信装置２０１の制御部４６は、ＩＰパケットの伝送により、制御のためのプロトコルメッセージを取得する。このため、ＳＯＮＥＴ／ＳＤＨ通信装置２０１の制御部は、パケットを認識することができる。
そして、ＳＯＮＥＴ／ＳＤＨ通信装置２０１〜２０２ｅのうちの上流側のものは、ラベルパス設定要求メッセージを送信し、また、下流側のものはそのメッセージに対して応答メッセージを返すようになっている。
【０１６１】
さらに、ＩＰルータ５０４とＳＯＮＥＴ／ＳＤＨ通信装置２０１との間において、ＩＰルータ５０４は、ＳＯＮＥＴ／ＳＤＨ通信装置２０１に対して、ＳＯＮＥＴ／ＳＤＨレイヤのパスを要求し、これに対して、ＳＯＮＥＴ／ＳＤＨ通信装置２０１は、ＩＰルータ５０４に対して、パスが設定できたことを示す通知を返すようになっている。
【０１６２】
以下に述べるように、ラベルはインプリシットにタイムスロットとして伝送信号に付加されているので、ＳＯＮＥＴ／ＳＤＨ通信装置２０１において、フォワーディングテーブルはタイムスロットスイッチの内部に設けられている。
また、ＳＯＮＥＴ／ＳＤＨ通信装置２０１〜２０２ｅは、いずれも、以下に述べる伝送部４０においてタイムスロットのスイッチングのみを行なうものである。よく知られているように、伝送部４０はパケットをハンドリングせず、また、タイムスロットにラベルを付加するものでもない。一方、以下に述べる制御部４６はメッセージ交換を行なうために、パケットをハンドリングする。
【０１６３】
（５−５）ＳＯＮＥＴ／ＳＤＨ通信装置２０１の構成
図１６は本発明の第２実施形態に係るＳＯＮＥＴ／ＳＤＨ通信装置の概略的なブロック図である。この図１６に示すＳＯＮＥＴ／ＳＤＨ通信装置２０１は、仕様に規定される信号を送受信するものであって、制御部４６と伝送部４０と第１送受信部４７とを有する。
【０１６４】
ここで、第１送受信部４７は、ＩＰネットワーク５００のＩＰルータ５０４、又はＳＯＮＥＴ／ＳＤＨ通信装置２０２ａ，２０２ｃの制御部４６と制御メッセージを送受信するものである。
そして、制御部４６は、前記制御部１０の機能を有するほかに、ＳＯＮＥＴ／ＳＤＨプロトコルに関する制御をも行なうものであって、上記とほぼ同様のパス管理情報テーブル１２をそなえたシグナリングプロトコル処理部１１を有する。
【０１６５】
また、伝送部４０は、隣接のＩＰルータ５０４又はＳＯＮＥＴ／ＳＤＨ通信装置２０２ａなどとＳＯＮＥＴ／ＳＤＨフレームにマッピングした信号を送受信し、また、制御部４６による制御に基づいて特定の入力インターフェースの特定のタイムスロット位置の信号を、フォワーディングテーブルで示された対応する出力インターフェースの対応するタイムスロットに対してスイッチングし、隣接のＩＰルータ５０４又はＳＯＮＥＴ／ＳＤＨ通信装置２０２ａなどに対して送信するものである。この伝送部４０は、前記入口インターフェース２１ａ，２１ｂおよび２１ｃの機能とほぼ同等の機能を有する入口インターフェース４１ａ，４１ｂおよび４１ｃを有する。
【０１６６】
この入口インターフェース４１ａは、前記入口インターフェース２１ａと異なり、フォワーディングテーブルを設けておらず、前記フォワーディングテーブルに相当するフォワーディングテーブルをタイムスロットスイッチ４２の内部に設けている。
ここで、タイムスロットスイッチ４２は、フォワーディングテーブル４３を有する。このフォワーディングテーブル４３は、シグナリングプロトコル処理部１１のパス管理情報テーブル１２の複数の領域のそれぞれと接続されて、これにより、タイムスロットスイッチ４２は、各パスについてのフォワーディング先のＳＯＮＥＴ／ＳＤＨ通信装置又はノードを知ることができる。
【０１６７】
また、このタイムスロットスイッチ４２の出力のそれぞれには、出力インターフェース４５ａ，４５ｂおよび４５ｃが接続されている。
なお、図１６に示すもので既に説明したものについては再度の説明を省略する。
一方、図１７は本発明の第２実施形態に係るＳＯＮＥＴ／ＳＤＨ通信装置２０２ｃの概略的なブロック図である。この図１７に示すＳＯＮＥＴ／ＳＤＨ通信装置２０２ｃは、下流側のものとして動作する一例である。隣接のＳＯＮＥＴ／ＳＤＨ通信装置２０１および２０２ｅと接続され、制御メッセージおよび伝送信号を送受信可能となっている。
【０１６８】
また、第２送受信部４８は、前記第２送受信部２５と同様の送受信機能を有し、上流側からの制御メッセージを受信できるものである。なお、この図１７においても上述したものと同一符号を有するものは同一のもの又は同様の機能を有するものなので、更なる説明を省略する。
そして、障害が発生したときには、予めＳＯＮＥＴ／ＳＤＨ通信装置２０２の中に保持されていたＳＯＮＥＴ／ＳＤＨ通信装置２０１から送信されたパスメッセージを、対応する予約メッセージとともに、ＳＯＮＥＴ／ＳＤＨ通信装置２０１に対して送り返し、ＳＯＮＥＴ／ＳＤＨ通信装置２０１の第１受信部（受信処理部）４７およびシグナリングプロトコル処理部４６においては、予約メッセージおよび送り返されたパスメッセージとに基づいてパス管理情報を回復する。
【０１６９】
（５−７）パスの階層化とパスのマッピング
ここで、パスの階層化とパスのマッピングとについて、いずれも、図１８を参照して説明する。
図１８は本発明の第２実施形態に係るパスの階層化を説明するための図であり、この図１８に示す伝送システム２００ｃは、１本のＳＯＮＥＴレイヤのパス上に複数のラベルつきパケットレイヤのパスを階層的に設定してパケットを送受信するものであって、パケット通信装置２０４，２０６と、パケット通信装置２０４，２０６間に設けられたＳＯＮＥＴ／ＳＤＨ通信装置２０５とをそなえて構成されている。
【０１７０】
ここで、パケット通信装置２０４，２０６は、いずれも、各ノード１０２〜１０６とほぼ同一のものであってパケット送受信機能とパケットをＳＯＮＥＴタイムスロットにマッピングする機能とを有する。パケット通信装置２０４は、入力インターフェース（入力ＩＦ）２０４ａと、パケットスイッチ２０４ｂと、出力インターフェース（出力ＩＦ）２０４ｃとをそなえて構成されている。また、パケット通信装置２０６は、それらの入力インターフェース２０４ａ，パケットスイッチ２０４ｂ，出力インターフェース２０４ｃのそれぞれとほぼ同一の機能を有する入力インターフェース（入力ＩＦ）２０６ａ，パケットスイッチ２０６ｂ，出力インターフェース（出力ＩＦ）２０６ｃをそなえて構成されている。
【０１７１】
これらの入力インターフェース２０４ａ，２０６ａと、出力インターフェース２０４ｃ，２０６ｃとは、いずれも、ＰＯＳ（Ｐａｃｋｅｔ　Ｏｖｅｒ　ＳＯＮＥＴ：ＲＦＣ２６１５参照）機能を有する。具体的には、入力インターフェース２０４ａ，２０６ａは、いずれも、ＳＯＮＥＴタイムスロットからパケットを取得するものである。出力インターフェース２０４ｃ，２０６ｃは、いずれも、パケットをＳＯＮＥＴタイムスロットにマッピングするものである。さらに、ＳＯＮＥＴ／ＳＤＨ通信装置２０５は、パケット通信装置２０４から出力された光信号のタイムスロットをスイッチングして光信号を出力するものである。
【０１７２】
これにより、外部から入力されたラベル付きパケットは、パケット通信装置２０４にて、ＰＯＳなどの技術を用いてＳＯＮＥＴのタイムスロットにマッピングされる。そして、そのマッピングされたタイムスロットは、ＳＯＮＥＴ／ＳＤＨ通信装置２０６において、タイムスロットのかたちでスイッチングされ、パケット通信装置２０６にて、スイッチングされたＳＯＮＥＴタイムスロットからパケットが取得される。従って、入力インタフェースおよび出力インタフェースの中にマッピング機能が存在するのである。
【０１７３】
さらに詳述すると、この図１８に示す伝送システム２００ｃは、ラベルつきパケットレイヤのパスはＰＯＳ機能によりＳＯＮＥＴレイヤのパスの上を通過している。この状況は、ＳＯＮＥＴレイヤのパスの上にパケットレイヤのパスが階層化されていると称される。ＳＯＮＥＴレイヤパスの途中のＳＯＮＥＴ通信装置２０５は、パケットをハンドリングすることができないが、この階層化によりパケットのパスがＳＯＮＥＴ通信装置２０５の中を通過することができる。
【０１７４】
このように、１本のＳＯＮＥＴレイヤのパスの上を複数のラベルつきパケットレイヤのパスを階層化可能である。
（Ｃ）本発明の第３実施形態の説明
本発明を適用される伝送システムは光波長多重伝送方式を用いることができる。
【０１７５】
（６−１）光波長多重伝送ネットワークにおけるパス設定
第３実施形態においてもＧＭＰＬＳが用いられ、ＬＳＰを設定するシグナリングプロトコルに対して、波長パスの設定に利用できる。
波長のレイヤにおいては、（入力インターフェース，入力波長）の対から（出力インターフェース，出力波長）の対の関係を確立することによって、パスが設定される。そして、波長を一般化されたラベルと認識することにより、パスを設定する手段として、ＬＳＰを設定するためのシグナリングプロトコルが利用される。
【０１７６】
（６−２）伝送システムの構成
図１９は本発明の第３実施形態に係る伝送システムの構成例を示す図である。この図１９に示す伝送システム２００ｂは、光波長多重伝送および波長スイッチングを用いた伝送態様である。この伝送システム２００ｂに設けられた波長多重ネットワーク３００は、光周波数領域において多重した光信号を、中継装置（波長通信装置）３０１，３０２ａ，３０２ｂ，３０２ｃ，３０２ｄ，３０２ｅ，３０３を接続する光ファイバ（伝送ライン９ｂ）を介して送受信するものであり、本発明の通信装置として機能する。
【０１７７】
さらに、中継装置３０１は、入口エッジとして動作可能なものであり、ＩＰネットワーク５００から入力された光信号は、中継装置３０１〜３０３，伝送ライン９ｂをそれぞれ介して中継されて、ＩＰネットワーク５０１に対して転送されるようになっている。また、光信号は、逆方向（右側から左側）に対しても、転送可能である。
【０１７８】
（６−３）波長通信装置の構成
図２０は本発明の第３実施形態に係る波長通信装置のブロック図を示す図である。この図２０に示す波長通信装置３０１は、制御部４６と伝送部４０′とを有し、この伝送部４０′は、入力インターフェース４１ａ〜４１ｃと波長スイッチ４２′と出力インターフェース４４ａ〜４４ｃとをそなえて構成されている。
【０１７９】
ここで、波長スイッチ４２′は、伝送すべき複数のデータ信号を複数の波長のうちの特定波長に割り当てて、光波長多重伝送するためのものであって、フォワーディングテーブル４３とほぼ同一のフォワーディングテーブル４３′を設けている。伝送部４０′は、このような光波長多重伝送のための波長の割り当て機能のほかに、前記伝送部４０とほぼ同一の機能を有する。なお、上述した符号と同一の符号を有するものは、ほぼ同一の機能を有する。
【０１８０】
（６−４）波長通信装置のスイッチング動作
また、図２１は本発明の第３実施形態に係る波長通信装置３０１のスイッチング動作を説明するための図である。この図２１に示す中継装置３０１は、入力インターフェース４９ａと、波長スイッチ４９ｂと、出力インターフェース４９ｃとをそなえて構成されている。ここで、入力インターフェース４９ａは、複数の光波長からなる光波長多重伝送光を入力され、この光波長多重伝送光から個々の波長成分を抽出するものである。また、出力インターフェース４９ｃは、波長スイッチ４９ｂから出力された個々の光信号をそれぞれ異なる波長に変換し、光波長多重化して出力するものである。
【０１８１】
従って、中継装置３０１の伝送部４０′は、波長のスイッチングのみを行なうものである。よく知られているように、伝送部４０′はパケットをハンドリングせず、また、波長にラベルを付加するものでもない。なお、制御部４６はメッセージの交換を行なうために、パケットをハンドリングをする。
（６−５）動作説明
図２０に示す構成により、伝送ライン９ａを介して入力された光波長多重伝送信号は、入力インターフェース４１ａ〜４１ｃにて分離されて、分離された各波長の光信号に含まれるデータは、波長スイッチ４２′にて適切な方路に振り分けられて、出力インターフェース４４ａ〜４４ｃに出力される。また、前記第１実施形態および各伝送態様にて説明した方法および各変形態様を用いて、情報データを効率よく伝送することができる。
【０１８２】
さらに、障害が発生して初期化が発生した場合には、迅速に復旧が可能となり、また、上流側のノードが、初期化により、パス管理情報を失わないので、再送が防止され、パスによって提供される伝送サービスが中断せずに、信頼性の高い伝送サービスを提供できる。
（Ｄ）その他
本発明は上述した実施態様およびその変形例に限定されるものではなく、本発明の趣旨を逸脱しない範囲で、種々変形して実施することができる。
【０１８３】
（Ｅ）付記
（付記１）　シグナリングプロトコルを用いてパスを設定してデータ通信する複数の通信装置のうちの上流側に設けられた上流側通信装置と下流側に設けられた下流側通信装置とからなる一対の通信装置のうちの上流側の該通信装置であって、
パス設定要求に対して、該下流側通信装置において確保されたリソース情報と、該下流側通信装置において該初期化が検出される前に保持された該パス設定要求とを該下流側通信装置から受信する第１受信部と、
該第１受信部にて受信された該リソース情報と該折り返されたパス設定要求とに基づいてパス管理情報を回復する回復処理部とをそなえて構成されたことを特徴とする、通信装置。
【０１８４】
（付記２）　シグナリングプロトコルを用いてパスを設定してデータ通信する複数の通信装置のうちの上流側に設けられた上流側通信装置と下流側に設けられた下流側通信装置とからなる一対の通信装置のうちの上流側の該通信装置であって、
パス設定要求を該下流側通信装置に送信する第１送信部と、
該第１送信部から送信された該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信する第１受信部と、
該第１受信部にて受信された該リソース情報と該折り返されたパス設定要求とに基づいてパス管理情報を回復する回復処理部とをそなえて構成されたことを特徴とする、通信装置。
【０１８５】
（付記３）　シグナリングプロトコルを用いてパスを設定してデータ通信する複数の通信装置のうちの上流側に設けられた上流側通信装置と下流側に設けられた下流側通信装置とからなる一対の通信装置のうちの下流側の該通信装置であって、
該上流側通信装置からのパス設定要求を受信する第２受信部と、
該第２受信部が受信した該パス設定要求を保持する受信パス設定要求保持部と、
該第２受信部の状態に基づいて該上流側通信装置の初期化を検出する検出部と、
該検出部の検出に基づいて、保持部に保持されたリソース情報と該受信パス設定要求保持部に保持された該パス設定要求とを該上流側通信装置に対して送信する第２送信部とをそなえて構成されたことを特徴とする、通信装置。
【０１８６】
（付記４）　シグナリングプロトコルを用いてパスを設定してデータ通信する複数の通信装置のうちの上流側に設けられた上流側通信装置と下流側に設けられた下流側通信装置とからなる一対の通信装置のうちのいずれか一方の該通信装置であって、
パス設定要求を該下流側通信装置に送信する第１送信部と、
該第１送信部から送信された該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信する第１受信部と、
該第１受信部にて受信された該リソース情報と該折り返されたパス設定要求とに基づいてパス管理情報を回復する回復処理部とをそなえるとともに、
該上流側通信装置からのパス設定要求を受信する第２受信部と、
該第２受信部が受信した該上流側通信装置からのパス設定要求を保持する受信パス設定要求保持部と、
該第２受信部の状態に基づいて該上流側通信装置の初期化を検出する検出部と、
該検出部の検出に基づいて、保持部に保持されたリソース情報と該受信パス設定要求保持部に保持された該パス設定要求とを該上流側通信装置に対して送信する第２送信部とをそなえて構成されたことを特徴とする、通信装置。
【０１８７】
（付記５）　該一対の通信装置が、それぞれ、
該パスについて規定される第１のレイヤと異なる第２のレイヤが規定する他のパスを、該パスに対して重ねて設定するように構成されたことを特徴とする、付記３又は付記４記載の通信装置。
（付記６）　該通信装置保持部に接続され、経路に関しパス管理情報に挿入される転送等価クラス情報と出力インターフェースおよび出力ラベルのそれぞれとを関連付けて保持する記憶部をそなえて構成されたことを特徴とする、付記２記載の通信装置。
【０１８８】
（付記７）　シグナリングプロトコルを用いてパスを設定してデータ通信する複数の通信装置をそなえた伝送システムにおいて、
該複数の通信装置のうちの上流側に設けられた上流側通信装置と下流側に設けられた下流側通信装置とからなる一対の通信装置のうちの該上流側通信装置が、
パス設定要求を該下流側通信装置に送信する第１送信部と、
該第１送信部から送信された該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信する第１受信部と、
該第１受信部にて受信された該リソース情報と該折り返されたパス設定要求とに基づいてパス管理情報を回復する回復処理部とをそなえるとともに、
該下流側通信装置が、
該パスについて該上流側通信装置からのパス設定要求を受信する第２受信部と、
該第２受信部が受信した該上流側通信装置からのパス設定要求を保持する受信パス設定要求保持部と、
該第２受信部の状態に基づいて該上流側通信装置の初期化を検出する検出部と、
該検出部の検出に基づいて、保持部に保持されたリソース情報と該受信パス設定要求保持部に保持された該パス設定要求とを該上流側通信装置に対して送信する第２送信部とをそなえて構成されたことを特徴とする、伝送システム。
【０１８９】
（付記８）　該上流側通信装置が、外部のネットワークから入力されるパケットに対して転送等価クラス情報を元にパケットをフィルタリングするように構成されたことを特徴とする、付記７記載の伝送システム。
（付記９）　シグナリングプロトコルを用いてパスを設定してデータ通信する複数の通信装置のうちの上流側に設けられた上流側通信装置と下流側に設けられた下流側通信装置とからなる一対の通信装置における、パス管理情報回復方法であって、
該上流側通信装置が、該下流側通信装置に対して、パス設定要求を送信し、
該上流側通信装置が、該パス設定要求に基づいて該下流側通信装置において割り当てられた一般化されたラベル情報を含むパス設定応答と、該下流側通信装置において該初期化が検出される前に保持された該パス設定要求とを該下流側通信装置から受信し、
該上流側通信装置が、該パス設定応答と、該折り返されたパス設定要求とに基づいてパス管理情報を回復するように構成されたことを特徴とする、パス管理情報回復方法。
【０１９０】
（付記１０）　シグナリングプロトコルを用いてパスを設定してデータ通信する複数の通信装置のうちの上流側に設けられた上流側通信装置と下流側に設けられた下流側通信装置とからなる一対の通信装置における、パス管理情報回復方法であって、
該下流側通信装置が、該上流側通信装置からのパス設定要求を受信し、
該下流側通信装置が、該パス設定要求を保持し、
該下流側通信装置が、該上流側通信装置の初期化を検出し、
該下流側通信装置が、該パス管理情報と該パス設定応答とを該上流側通信装置に対して送信し、
該上流側通信装置が、該パス管理情報を回復するように構成されたことを特徴とする、パス管理情報回復方法。
【０１９１】
（付記１１）　シグナリングプロトコルを用いてパスを設定してデータ通信する複数の通信装置のうちの上流側に設けられた上流側通信装置と下流側に設けられた下流側通信装置とからなる一対の通信装置における、パス管理情報回復方法であって、
該上流側通信装置が、該下流側通信装置に対して、パス設定要求を送信し、
該下流側通信装置が、該上流側通信装置の初期化を検出し、
該上流側通信装置が、該下流側通信装置において一般化されたラベル情報を含むパス設定応答と該初期化が検出される前に保持された該パス設定要求とに基づいて、パス管理情報を回復するように構成されたことを特徴とする、パス管理情報回復方法。
【０１９２】
（付記１２）　該伝送システムが、該パス設定応答の予約機能およびラベル付与機能を有する拡張帯域予約プロトコルを用いるとともに、
該下流側通信装置が、該上流側通信装置から送信されたパスメッセージを保持し、
該下流側通信装置が、該上流側通信装置の初期化を検出し、
該下流側通信装置が、該上流側通信装置に対して、該上流側通信装置からの該パスメッセージのうちの直前に送信されたパスメッセージを送信し、
該下流側通信装置が、該パスメッセージに基づいて割り当てた一般化されたラベル情報を含むパス設定応答を含む応答メッセージを該上流側通信装置に対して送信し、
該上流側通信装置が、該応答メッセージに含まれるパス設定応答と、該パスメッセージとに基づいて、パス管理情報を回復するように構成されたことを特徴とする、付記９〜付記１１のいずれか一に記載の記載のパス管理情報回復方法。
【０１９３】
（付記１３）　該下流側通信装置が、
該パスメッセージが有する情報を、該応答メッセージの領域に含めるように構成されたことを特徴とする、付記１２記載のパス管理情報回復方法。
（付記１４）　該下流側通信装置が、該上流側通信装置に送信する帯域予約プロトコルの予約メッセージを生成し、
該下流側通信装置が、該予約メッセージの中に対応する帯域予約プロトコルのパスメッセージの内容を含めるように構成されたことを特徴とする、付記９〜付記１１のいずれか一に記載の記載のパス管理情報回復方法。
【０１９４】
（付記１５）　該伝送システムが、該パスについてのラベル付与機能を有するシグナリングプロトコルを用いるとともに、
該下流側通信装置が、該応答メッセージを、該シグナリングプロトコルの初期化を検出した直前に受信した該パス管理情報に含まれる情報を、該上流側通信装置に対して送信するように構成されたことを特徴とする、付記９〜付記１１のいずれか一に記載のパス管理情報回復方法。
【０１９５】
（付記１６）　該一対の通信装置が、それぞれ、該パスについて規定される第１のレイヤと異なる第２のレイヤが規定する他のパスを、該パスに対して重ねて設定しうるレイヤ処理部を有し、
該下流側通信装置のレイヤ処理部が、該上流側通信装置において該第２のレイヤが規定する他のパスについて初期化を検出し、
該上流側通信装置が、該下流側通信装置に対して送信し該初期化の検出直前に保持された該他のパスの第２パス管理情報と同一の折り返し第２パス管理情報と該下流側通信装置において割り当てられた第２の一般化されたラベル情報とに基づいて、該第２パス管理情報を回復し、
該上流側通信装置が、該下流側通信装置に対して送信した該パスの第１パス管理情報と同一の折り返し第１パス管理情報と該下流側通信装置において割り当てられた第１の一般化されたラベル情報とに基づいて、該第１パス管理情報を回復するように構成されたことを特徴とする、付記９〜付記１１のいずれか一に記載のパス管理情報回復方法。
【０１９６】
【発明の効果】
以上詳述したように、本発明の通信装置（請求項１〜３），伝送システム（請求項４）およびパス管理情報回復方法（請求項５）によれば、以下のような効果ないし利点が得られる。
（１）本発明の通信装置によれば、シグナリングプロトコルを用いてパスを設定してデータ通信する複数の通信装置のうちの上流側に設けられた上流側通信装置と下流側に設けられた下流側通信装置とからなる一対の通信装置のうちの上流側の通信装置であって、パス設定要求に対して、下流側通信装置において確保されたリソース情報と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえて構成されているので、パスなどが設定された状態において障害の発生などによりノードが初期化したときに、初期化前にもっていたパスの管理情報を回復させることができ、パス管理情報の削除を防止することが可能となる。これにより、障害が発生した場合において、データの送受信を中止せずにネットワークの運用を確保できる（請求項１）。
【０１９７】
また、上述した特許文献１記載のネットワークシステムは、ラベルパスとパス識別子とを同一のものと扱っている。これに対して、本発明は、ラベルパスとパス識別子との対応関係が失われた後において、その対応関係を回復させることができる。
（２）本発明の通信装置によれば、上流側通信装置と下流側通信装置とからなる一対の通信装置のうちの上流側の通信装置であって、パス設定要求を下流側通信装置に送信する第１送信部と、第１送信部から送信されたパス設定要求に基づいて下流側通信装置において割り当てられた一般化されたラベル情報を含むパス設定応答と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえて構成されているので、パスの上流側ノードからシグナリングメッセージを送信してもらわずに入口エッジノードは、パス管理情報を回復できる。
【０１９８】
（３）本発明の通信装置によれば、上流側通信装置と下流側通信装置とからなる一対の通信装置のうちの下流側の通信装置であって、上流側通信装置からのパス設定要求を受信する第２受信部と、第２受信部が受信した上流側通信装置からのパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されているので、パスの入口ノードにおいて、シグナリングプロトコルの初期化をした場合においても、パス管理情報を回復できる（請求項２）。
【０１９９】
（４）本発明の通信装置によれば、上流側通信装置と下流側通信装置とからなる一対の通信装置のうちのいずれか一方の通信装置であって、パス設定要求を下流側通信装置に送信する第１送信部と、第１送信部から送信されたパス設定要求に基づいて下流側通信装置において割り当てられた一般化されたラベル情報を含むパス設定応答と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえるとともに、上流側通信装置からのパス設定要求を受信する第２受信部と、第２受信部が受信した上流側通信装置からのパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されているので、通信装置は下流側通信装置および上流側通信装置のいずれとしても機能することができ、より自由にパスを設定できる（請求項３）。
【０２００】
（５）前記下流側通信装置が、パスについて規定される第１のレイヤと異なる第２のレイヤが規定する他のパスを、パスに対して重ねて設定しうるレイヤ処理部をそなえ、検出部にて第２のレイヤが規定する他のパスについての初期化が検出されると、他のパスについての他のパス管理情報と、第１のレイヤが規定するパスについてのパス管理情報とについて、それぞれ、処理するように構成されてもよく、このようにすれば、パスが階層化されているようなネットワークにおいて、通信装置の制御部が初期化されても正常にパス管理情報を回復できる。そして、これにより、パケットパスのほかに、例えば波長パス又はＳＯＮＥＴ／ＳＤＨパスなどのデータ伝送プロトコルにかかわらずに、伝送可能となる。
【０２０１】
（６）前記通信装置保持部に接続され、経路に関しパス管理情報に挿入される転送等価クラス情報と出力インターフェースおよび出力ラベルのそれぞれとを関連付けて保持する記憶部をそなえて構成されてもよく、このようにすれば、例えばＩＰネットワークと伝送システムのネットワークとの間において、パケットを透過的に伝送できる。
【０２０２】
（７）本発明の伝送システムによれば、上流側通信装置が、パス設定要求を下流側通信装置に送信する第１送信部と、第１送信部から送信されたパス設定要求に基づいて下流側通信装置において割り当てられた一般化されたラベル情報を含むパス設定応答と、下流側通信装置において初期化が検出される前に保持されたパス設定要求とを下流側通信装置から受信する第１受信部と、第１受信部にて受信されたリソース情報と折り返されたパス設定要求とに基づいてパス管理情報を回復する回復処理部とをそなえるとともに、下流側通信装置が、パスについて上流側通信装置からのパス設定要求を受信する第２受信部と、第２受信部が受信した上流側通信装置からのパス設定要求を保持する受信パス設定要求保持部と、第２受信部の状態に基づいて上流側通信装置の初期化を検出する検出部と、検出部の検出に基づいて保持部に保持されたリソース情報と受信パス設定要求保持部に保持されたパス設定要求とを上流側通信装置に対して送信する第２送信部とをそなえて構成されているので、シグナリングプロトコルがリブートしたときに、パス管理情報を復旧できるので、ネットワークに対する信頼性を向上させることができる（請求項４）。
【０２０３】
（８）前記上流側通信装置が、外部のネットワークから入力されるパケットに対して転送等価クラス情報情報を元にパケットをフィルタリングするように構成されてもよく、このようにすれば、例えばＩＰネットワークと伝送システムのネットワークとの間において、パケットを透過的に伝送できる。
（９）本発明のパス管理情報回復方法によれば、上流側通信装置が、下流側通信装置に対して、パス設定要求を送信し、上流側通信装置が、パス設定要求に基づいて下流側通信装置において割り当てられた一般化されたラベル情報を含むパス設定応答と、下流側通信装置において初期化が検出される前に保持されたパス設定要求とを下流側通信装置から受信し、上流側通信装置が、パス設定応答と、折り返されたパス設定要求とに基づいてパス管理情報を回復するので、障害が発生した後に迅速な復旧が可能となる（請求項５）。
【０２０４】
（１０）本発明のパス管理情報回復方法によれば、下流側通信装置が、上流側通信装置からのパス設定要求を受信し、下流側通信装置が、パス設定要求を保持し、下流側通信装置が、上流側通信装置の初期化を検出し、下流側通信装置が、パス設定要求を上流側通信装置に対して送信し、上流側通信装置が、パス管理情報を回復するので、顧客に対して安定なネットワークを提供できる。
【０２０５】
（１１）本発明のパス管理情報回復方法によれば、上流側通信装置が、下流側通信装置に対して、パス設定要求を送信し、下流側通信装置が、上流側通信装置の初期化を検出し、上流側通信装置が、下流側通信装置において確保されたパス管理情報に基づくパス設定応答と初期化が検出される前に保持されたパス設定要求とに基づいて、パス管理情報を回復するので、確実かつ高セキュリティな伝送を実現できる。
【０２０６】
（１２）前記伝送システムが、パス設定応答の予約機能およびラベル付与機能を有する拡張帯域予約プロトコルを用いるとともに、下流側通信装置が、上流側通信装置から、送られたパスメッセージを保持し、下流側通信装置が、上流側通信装置の初期化を検出し、下流側通信装置が、上流側通信装置に対して、上流側通信装置からのパスメッセージのうちの直前に送信されたパスメッセージを送信し、下流側通信装置が、パスメッセージに基づいて割り当てた一般化されたラベル情報を含む応答メッセージを上流側通信装置に対して送信し、上流側通信装置が、応答メッセージに含まれるパス設定応答と、パスメッセージとに基づいて、パス管理情報を回復するように構成されてもよく、このようにすれば、通信装置の制御部が交換又は点検のためにリブートされても伝送サービスを継続できるので、保守性が高くなる。
【０２０７】
（１３）前記下流側通信装置が、パスメッセージが有する情報を、応答メッセージの領域に含めるように構成されてもよく、このようにすれば、メッセージ数を減少させることが可能となる。
（１４）前記下流側通信装置が、上流側通信装置に送信する帯域予約プロトコルの予約メッセージを生成し、下流側通信装置が、予約メッセージの中に対応する帯域予約プロトコルのパスメッセージの内容を含めるように構成されてもよく、このようにすれば、例えばＲＳＶＰ−ＴＥがシグナリングプロトコルとして利用されている伝送システムのネットワークにおいても、パス管理情報を回復させることができる。
【０２０８】
（１５）前記伝送システムが、パスについてのラベル付与機能を有するシグナリングプロトコルを用いるとともに、下流側通信装置が、応答メッセージを、シグナリングプロトコルの初期化を検出した直前に受信したパス管理情報に含まれる情報を、上流側通信装置に対して送信するように構成されてもよく、このようにすれば、多額の設備改変を伴わずに高い付加価値を発生させることができる。
【０２０９】
（１６）一対の通信装置が、それぞれ、パスについて規定される第１のレイヤと異なる第２のレイヤが規定する他のパスを、パスに対して重ねて設定しうるレイヤ処理部を有し、下流側通信装置のレイヤ処理部が、上流側通信装置において第２のレイヤが規定する他のパスについて初期化を検出し、上流側通信装置が、下流側通信装置に対して送信し初期化の検出直前に保持された他のパスの第２パス管理情報と同一の折り返し第２パス管理情報と下流側通信装置において確保された第２パス設定応答とに基づいて、第２パス管理情報を回復し、上流側通信装置が、下流側通信装置に対して送信したパスの第１パス管理情報と同一の折り返し第１パス管理情報と下流側通信装置において確保された第１パス設定応答とに基づいて、第１パス管理情報を回復するように構成されてもよく、このようにすれば、ネットワークを迅速に復旧させることができる。
【図面の簡単な説明】
【図１】本発明の第１実施形態に係る伝送システムの構成例を示す図である。
【図２】本発明の第１実施形態に係る転送方法を説明するための図である。
【図３】本発明の第１実施形態に係る入口エッジノードの概略的なブロック図である。
【図４】本発明の第１実施形態に係るノードの概略的なブロック図である。
【図５】パケットレイヤ信号のフォーマット例を示す図である。
【図６】（ａ）〜（ｃ）はそれぞれ本発明の第１実施形態に係る第１の伝送態様を示す図である。
【図７】（ａ）〜（ｄ）はそれぞれ本発明の第１実施形態に係る第２の伝送態様を示す図である。
【図８】（ａ）は本発明の第１実施形態に係るクライアントレイヤの概念図であり、（ｂ）は本発明第１実施形態に係るフォワーディングテーブルの他の例を示す図である。
【図９】（ａ）〜（ｄ）はそれぞれ本発明の第１実施形態に係る第３の伝送態様を示す図である。
【図１０】（ａ），（ｂ）はいずれも本発明の第１実施形態に係る拡張応答メッセージ例を説明するための図である。
【図１１】本発明の第１実施形態に係る回復パスメッセージの一例を示す図である。
【図１２】（ａ），（ｂ）はいずれも本発明の第１実施形態に係る第５の伝送態様を示す図である。
【図１３】（ａ），（ｂ）はいずれも本発明の第１実施形態に係る第５の伝送態様を示す他の図である。
【図１４】本発明の第２実施形態に係る伝送システムの構成例を示す図である。
【図１５】本発明の第２実施形態に係る転送方法を説明するための図である。
【図１６】本発明の第２実施形態に係るＳＯＮＥＴ／ＳＤＨ通信装置の概略的なブロック図である。
【図１７】本発明の第２実施形態に係るＳＯＮＥＴ／ＳＤＨ通信装置の概略的なブロック図である。
【図１８】本発明の第２実施形態に係るパスの階層化を説明するための図である。
【図１９】本発明の第３実施形態に係る伝送システムの構成例を示す図である。
【図２０】本発明の第３実施形態に係る波長通信装置のブロック図を示す図である。
【図２１】本発明の第３実施形態に係る波長通信装置のスイッチング動作を説明するための図である。
【図２２】一般化されたラベル情報を説明するための図である。
【図２３】パス管理情報を説明するための図である。
【図２４】ＲＳＶＰ−ＴＥプロトコルにおけるパスメッセージの一例を示す図である。
【図２５】ＲＳＶＰ−ＴＥプロトコルにおける予約メッセージの一例を示す図である。
【図２６】（ａ）〜（ｅ）はそれぞれＲＳＶＰ　Ｇｒａｃｅｆｕｌ　Ｒｅｃｏｖｅｒｙの正常動作を説明するための図である。
【図２７】（ａ）〜（ｄ）はそれぞれ従来方式の課題を説明するための図である。
【図２８】ＳＯＮＥＴ装置又はＳＤＨ装置のスイッチング動作を説明するための図である。
【符号の説明】
１０，４６　制御部
１１　シグナリングプロトコル処理部
１２　パス管理情報テーブル（通信装置保持部）
２０，４０，４０′　伝送部
２１ａ〜２１ｃ，４１ａ〜４１ｃ，４９ａ，２０４ａ，２０６ａ　入力インターフェース
２２，２０４ｂ，２０６ｂ　パケットスイッチ
２３ａ〜２３ｃ，４４ａ〜４４ｃ，４９ｃ，２０４ｃ，２０６ｃ　出力インターフェース
２４，４５　入出力部
２５，４８　第２送受信部（第２送信部，第２受信部）
２６　検出部
２７　受信パス設定要求保持部
２８　ＦＥＣフィルタ部（転送等価クラス情報処理部）
２９　レイヤ処理部
３０，４７　第１送受信部（第１受信部，第１送信部）
３１　ルーティングテーブル
４２　タイムスロットスイッチ
４２ａ，４３，４９ｄ　フォワーディングテーブル
４９ｂ　波長スイッチ
５００，５０１　ＩＰネットワーク
１００　ＲＳＶＰ−ＴＥネットワーク
１０１　入口エッジノード（通信装置）
１０２〜１０６　ルータ（通信装置）
１０７　出口ルータ（通信装置）
２００，２００ａ，２００ｂ　伝送システム
２０１　入口ＳＯＮＥＴ／ＳＤＨ通信装置（通信装置）
２０２ａ〜２０２ｆ，２０５　ＳＯＮＥＴ／ＳＤＨ通信装置（通信装置）
２０３　出口ＳＯＮＥＴ／ＳＤＨ通信装置（通信装置）
２０４，２０６　パケット通信装置（通信装置）
２１０　光通信装置
２５０，６００　ＳＯＮＥＴ／ＳＤＨネットワーク
３００　波長多重ネットワーク
３０１　入口中継装置（通信装置）
３０２ａ〜３０２ｅ　中継装置（通信装置）
３０３　出口中継装置（通信装置）
５０２　制御ライン
５０３　伝送ライン
５０４　ＩＰルータ
５０５　光／電気変換部
【図１】
2004128816.tif 000003
【図２】
2004128816.tif 000004
【図３】
2004128816.tif 000005
【図４】
2004128816.tif 000006
【図５】
2004128816.tif 000007
【図６】
2004128816.tif 000008
【図７】
2004128816.tif 000009
【図８】
2004128816.tif 000010
【図９】
2004128816.tif 000011
【図１０】
2004128816.tif 000012
【図１１】
2004128816.tif 000013
【図１２】
2004128816.tif 000014
【図１３】
2004128816.tif 000015
【図１４】
2004128816.tif 000016
【図１５】
2004128816.tif 000017
【図１６】
2004128816.tif 000018
【図１７】
2004128816.tif 000019
【図１８】
2004128816.tif 000020
【図１９】
2004128816.tif 000021
【図２０】
2004128816.tif 000022
【図２１】
2004128816.tif 000023
【図２２】
2004128816.tif 000024
【図２３】
2004128816.tif 000025
【図２４】
2004128816.tif 000026
【図２５】
2004128816.tif 000027
【図２６】
2004128816.tif 000028
【図２７】
2004128816.tif 000029
【図２８】
2004128816.tif 000030